(57)【要約】【課題】音響の種類に応じて音響の周波数特性を制御するにあたり、一つの音響の種類に対応する周波数特性を、さらに最適な周波数特性に制御できる、音響再生装置および音響再生方法を提供する。【解決手段】本発明のオーディオ出力変換装置１００は、入力されたオーディオデータを、オーディオデータの周波数特性ごとに所定の増幅率によって増幅する音響増幅部１１０と、周波数特性ごとの増幅率を制御するコントロール部１３０とを備えた音響再生装置であって、コントロール部１３０は、外部から指定されたボリューム値と、オーディオデータの種類を識別する情報とに基づき、増幅率の周波数特性を制御する。【選択図】  図１
2008283318.tif 000002
【特許請求の範囲】
【請求項１】
入力された音響信号を、当該音響信号の周波数ごとに所定の増幅率によって増幅する増幅手段と、
上記周波数ごとの上記増幅率を制御する制御手段と、を備えた音響再生装置であって、
上記制御手段は、外部から指定されたボリューム値と、上記音響信号の種類を識別する情報とに基づき、上記増幅率を上記周波数ごとに制御することを特徴とする、音響再生装置。
【請求項２】
上記音響信号の種類を判定する判定手段を有し、
上記判定手段は、上記音響信号が、音声の信号であるかの判定、および、音楽の信号であるかの判定の、少なくとも一方を、上記音響信号より判定することを特徴とする、請求項１に記載の音響再生装置。
【請求項３】
上記判定手段は、
上記音響信号が、音声の信号であるかを判定する音声判定手段と、
上記音響信号が、音楽の信号であるかを判定する音楽判定手段と、を備えていることを特徴とする、請求項２に記載の音響再生装置。
【請求項４】
上記音声判定手段によって、上記音響信号が音声の信号と判定され、かつ、上記音楽判定手段によって、上記音響信号が音楽の信号と判定された場合、または、
上記音声判定手段によって、上記音響信号が音声の信号でないと判定され、かつ、上記音楽判定手段によって、上記音響信号が音楽の信号でないと判定された場合、
上記判定手段は、上記音響信号が、音楽の信号でも音声の信号でもないその他の信号であると判定することを特徴とする、請求項３に記載の音響再生装置。
【請求項５】
上記判定手段が、上記音響信号を音声の信号であると判定した場合で、
上記音響信号の周波数の帯域を低い順に低域、中域、および高域の３つの帯域に分けた場合、
上記制御手段は、
上記中域の増幅率を上記低域および上記高域の増幅率よりも大きくし、
上記ボリューム値が小さければ小さいほど、上記低域および上記高域の増幅率と、上記中域の増幅率との差が大きくなるように、上記増幅率を制御することを特徴とする、請求項２または３に記載の音響再生装置。
【請求項６】
上記判定手段が、上記音響信号を音楽の信号であると判定した場合で、
上記音響信号の周波数の帯域を低い順に低域、中域、および高域の３つの帯域に分けた場合、
上記制御手段は、
上記低域または上記高域の少なくともどちらか一方の増幅率を、上記中域の増幅率よりも大きくし、
上記ボリューム値が小さければ小さいほど、上記低域または上記高域の少なくともどちらか一方の大きくした増幅率と、上記中域の増幅率との差が大きくなるように、上記増幅率を制御することを特徴とする、請求項２または３に記載の音響再生装置。
【請求項７】
上記判定手段が、上記音響信号をその他の信号であると判定した場合で、
上記音響信号の周波数の帯域を低い順に低域、中域、および高域の３つの帯域に分けた場合、
上記制御手段は、上記低域、上記中域、および上記高域の増幅率が一定となるように、上記増幅率を制御することを特徴とする、請求項４に記載の音響再生装置。
【請求項８】
上記音響信号は、放送電波に含まれるものであり、
上記音響再生装置には、上記放送電波に含まれる、放送番組のジャンルを示す情報が入力され、
上記制御手段は、
上記音響信号の種類を識別する情報として、上記ジャンルを示す情報を用いて、上記増幅率を制御することを特徴とする、請求項１に記載の音響再生装置。
【請求項９】
上記制御手段は、上記音響信号が、音声の信号、音楽の信号、またはその他の信号のうち、いずれかの信号であるかを、上記ジャンルを示す情報より判定し、自身が判定した結果を用いて、上記増幅率を制御することを特徴とする、請求項８に記載の音響再生装置。
【請求項１０】
上記制御手段が、上記音響信号を音声の信号であると判定した場合で、
上記音響信号の周波数の帯域を低い順に低域、中域、および高域の３つの帯域に分けた場合、
上記制御手段は、
上記中域の増幅率を上記低域および上記高域の増幅率よりも大きくし、
上記ボリューム値が小さければ小さいほど、上記低域および上記高域の増幅率と、上記中域の増幅率との差が大きくなるように、上記増幅率を制御することを特徴とする、請求項９に記載の音響再生装置。
【請求項１１】
上記制御手段が、上記音響信号を音楽の信号であると判定した場合で、
上記音響信号の周波数の帯域を低い順に低域、中域、および高域の３つの帯域に分けた場合、
上記制御手段は、
上記低域または上記高域の少なくともどちらか一方の増幅率を、上記中域の増幅率よりも大きくし、
上記ボリューム値が小さければ小さいほど、上記低域または上記高域の少なくともどちらか一方の大きくした増幅率と、上記中域の増幅率との差が大きくなるように、上記増幅率を制御することを特徴とする、請求項９に記載の音響再生装置。
【請求項１２】
上記制御手段が、上記音響信号をその他の信号であると判定した場合で、
上記音響信号の周波数の帯域を低い順に低域、中域、および高域の３つの帯域に分けた場合、
上記制御手段は、上記低域、上記中域、および上記高域の増幅率が一定となるように、上記増幅率を制御することを特徴とする、請求項９に記載の音響再生装置。
【請求項１３】
上記音響信号は、放送電波に含まれるものであり、
上記音響再生装置には、上記放送電波に含まれる、放送番組のジャンルを示す情報が入力され、
上記音響信号が音声の信号であるかの判定、もしくは、音楽の信号であるかの判定の、少なくとも一方の判定を行う判定手段を有し、
上記制御手段は、上記音響信号の種類を識別する情報として、上記判定手段の判定結果および上記ジャンルを示す情報を用いて、上記増幅率を制御することを特徴とする、請求項１に記載の音響再生装置。
【請求項１４】
上記判定手段は、
上記音響信号が、音声の信号であるかを判定する音声判定手段と、
上記音響信号が、音楽の信号であるかを判定する音楽判定手段と、を備え、
上記制御手段は、
上記音響信号が、音声の信号、音楽の信号、またはその他の信号のうち、いずれかの信号であるかを、上記ジャンルを示す情報より判定することを特徴とする、請求項１３に記載の音響再生装置。
【請求項１５】
上記音声判定手段によって、上記音響信号が音声の信号と判定され、かつ、上記音楽判定手段によって、上記音響信号が音楽の信号と判定された場合、または、
上記音声判定手段によって、上記音響信号が音声の信号でないと判定され、かつ、上記音楽判定手段によって、上記音響信号が音楽の信号でないと判定された場合、
上記判定手段は、上記音響信号が、音楽の信号でも音声の信号でもないその他の信号であると判定することを特徴とする、請求項１４に記載の音響再生装置。
【請求項１６】
上記判定手段が、上記音響信号をその他の信号であると判定した場合、
上記制御手段は、自身の判定結果に基づき、上記増幅率を制御することを特徴とする、請求項１５に記載の音響再生装置。
【請求項１７】
上記判定手段が、上記音響信号を音声の信号であると判定した場合で、
上記音響信号の周波数の帯域を低い順に低域、中域、および高域の３つの帯域に分けた場合、
上記制御手段は、
上記中域の増幅率を上記低域および上記高域の増幅率よりも大きくし、
上記ボリューム値が小さければ小さいほど、上記低域および上記高域の増幅率と、上記中域の増幅率との差が大きくなるように、上記増幅率を制御することを特徴とする、請求項１４に記載の音響再生装置。
【請求項１８】
上記制御手段は、
上記音響信号を音楽の信号またはその他の信号であると判定した場合、
自身の判定結果が、上記音響信号を音声の信号と判定した場合よりも、上記中域の増幅率と、上記低域および高域の増幅率との差を、小さくするように、上記増幅率を制御することを特徴とする、請求項１７に記載の音響再生装置。
【請求項１９】
上記判定手段が、上記音響信号を音楽の信号であると判定した場合で、
上記音響信号の周波数の帯域を低い順に低域、中域、および高域の３つの帯域に分けた場合、
上記制御手段は、
上記低域または上記高域の少なくともどちらか一方の増幅率を、上記中域の増幅率よりも大きくし、
上記ボリューム値が小さければ小さいほど、上記低域または上記高域の少なくともどちらか一方の大きくした増幅率と、上記中域の増幅率との差が大きくなるように、上記増幅率を制御することを特徴とする、請求項１４に記載の音響再生装置。
【請求項２０】
上記制御手段は、
上記音響信号を音声の信号またはその他の信号であると判定した場合、
自身の判定結果が、上記音響信号を音楽の信号と判定した場合よりも、上記中域の増幅率と、上記低域および高域の増幅率との差を、小さくするように、上記増幅率を制御することを特徴とする、請求項１９に記載の音響再生装置。
【請求項２１】
上記判定手段が、上記音響信号をその他の信号であると判定し、かつ、上記制御手段が、上記音響信号を音声の信号であると判定した場合で、
上記音響信号の周波数の帯域を低い順に低域、中域、および高域の３つの帯域に分けた場合、
上記制御手段は、
上記中域の増幅率を、上記低域および上記高域の増幅率よりも大きくし、
上記ボリューム値が小さければ小さいほど、上記低域および上記高域の増幅率と、上記中域の増幅率との差が大きくなるように、上記増幅率を制御することを特徴とする、請求項１５に記載の音響再生装置。
【請求項２２】
上記判定手段が、上記音響信号をその他の信号であると判定し、かつ、上記制御手段が、上記音響信号を音楽の信号であると判定した場合で、
上記音響信号の周波数の帯域を低い順に低域、中域、および高域の３つの帯域に分けた場合、
上記制御手段は、
上記低域または上記高域の少なくともどちらか一方の増幅率を、上記中域の増幅率よりも大きくし、
上記ボリューム値が小さければ小さいほど、上記低域または上記高域の少なくともどちらか一方の大きくした増幅率と、上記中域の増幅率との差が大きくなるように、上記増幅率を制御することを特徴とする、請求項１５に記載の音響再生装置。
【請求項２３】
上記判定手段が、上記音響信号をその他の信号であると判定し、かつ、上記制御手段が、上記音響信号をその他の信号であると判定した場合で、
上記音響信号の周波数の帯域を低い順に低域、中域、および高域の３つの帯域に分けた場合、
上記制御手段は、上記低域、上記中域、および上記高域の増幅率が一定となるように、上記増幅率を制御することを特徴とする、請求項１５に記載の音響再生装置。
【請求項２４】
入力された音響信号を、当該音響信号の周波数ごとに所定の増幅率によって増幅する増幅ステップと、
上記周波数ごとの上記増幅率を制御する制御ステップと、を備えた音響再生方法であって、
上記制御ステップにおいて、外部から指定されたボリューム値と、上記音響信号の種類を識別する情報とに基づき、上記増幅率を上記周波数ごとに制御することを特徴とする、音響再生方法。
【請求項２５】
上記音響信号の種類を判定する判定ステップを有し、
上記判定ステップにおいて、上記音響信号が、音声の信号であるかの判定、および、音楽の信号であるかの判定の、少なくとも一方を、上記音響信号より判定することを特徴とする、請求項２４に記載の音響再生方法。
【請求項２６】
上記音響信号は、放送電波に含まれるものであり、
上記音響再生方法においては、上記放送電波に含まれる、放送番組のジャンルを示す情報を入力し、
上記制御ステップにおいて、上記音響信号の種類を識別する情報として、上記ジャンルを示す情報を用いて、上記増幅率を制御することを特徴とする、請求項２４に記載の音響再生方法。
【請求項２７】
上記音響信号は、放送電波に含まれるものであり、
上記音響再生方法においては、上記放送電波に含まれる、放送番組のジャンルを示す情報を入力し、
上記音響信号が音声の信号であるかの判定、もしくは、音楽の信号であるかの判定の、少なくとも一方の判定を行う判定ステップを有し、
上記制御ステップは、上記音響信号の種類を識別する情報として、上記判定手段の判定結果および上記ジャンルを示す情報を用いて、上記増幅率を制御することを特徴とする、請求項２４に記載の音響再生方法。
【発明の詳細な説明】
【技術分野】
【０００１】
本発明は、音響信号に対して、周波数特性を有するフィルタによってゲインを調整し音響を再生する、音響再生装置に関するものである。
【背景技術】
【０００２】
テレビジョン放送受信装置（以下、テレビとする）によって放送番組を、一般家庭において視聴する場合、隣室や隣人との視聴環境を考慮して、テレビが出力する音量のボリュームを、比較的小さくして、放送番組を視聴することが多い。このように、テレビが出力する音量を小さくするほど、視聴の対象となる放送番組が音楽であった場合は、臨場感がなくなり、視聴の対象が人の声であった場合は、人の声が不明瞭になる。
【０００３】
さらに、近年では、テレビの大型化に伴い、大型テレビの視聴環境に合わせた臨場感溢れる音声再生方法が要望されてきている。ここで、特許文献１においては、放送電波等によって入力した音響信号に対して、音声か非音声かの判定する音声判定装置を備えた音響再生装置が開示されている。
【０００４】
この特許文献１に開示された音響再生装置は、内部に備えた音声判別装置によって、入力した音響信号に含まれる音響が、音声か音楽かを判別し、音声判別装置における判別結果に基づき、音響信号の周波数特性を最適な周波数特性に変更している。つまり、音響再生装置に入力した音響信号に含まれる音響の種類を判別し、この音響の種類に応じて、出力する音響の周波数特性を制御している。結果、入力された音響信号に含まれる音響が音楽の場合には、臨場感のある音響を出力することができ、一方、入力された音響信号に含まれる音響が音声の場合には、明瞭かつ聞き取りやすい音響を出力できる。
【特許文献１】特開平７−１３５８６号公報（１９９５年１月１７日公開）
【発明の開示】
【発明が解決しようとする課題】
【０００５】
しかしながら、従来例においては、音響再生装置は、入力した音響信号に対する、音楽か音声かの判別結果のみに基づき、出力する音響の周波数特性を決定していた。言い換えれば、従来例の音響再生装置は、一つの音響の種類対して、一つの周波数特性によって音響を制御することになる。
【０００６】
したがって、従来例の音響再生装置は、出力する音響のボリュームが大きい場合においても、音響の種類に応じて、出力する音響の周波数特性を制御するため、出力する人間の音声の音質が変わるという問題がある。
【０００７】
さらに、出力する音響のボリュームが非常に小さい場合のような、通常あまり使用されないようなボリューム値の場合において、従来例の音響再生装置による周波数特性は、十分な効果を得ることができないという問題がある。結果、出力する音響のボリュームが非常に小さい場合においては、出力する音響である、人間の音声が明瞭とならず、聞き取り難いという問題がある。
【０００８】
本発明は、上記課題を解決するためになされたものであり、その目的は、音響の種類に応じて音響の周波数特性を制御するにあたり、一つの音響の種類に対応する周波数特性を、さらに最適な周波数特性に制御できる、音響再生装置および音響再生方法を提供することにある。
【課題を解決するための手段】
【０００９】
本発明に係る音響再生装置は、上記の課題を解決するために、
入力された音響信号を、当該音響信号の周波数ごとに所定の増幅率によって増幅する増幅手段と、上記周波数ごとの上記増幅率を制御する制御手段と、を備えた音響再生装置であって、上記制御手段は、外部から指定されたボリューム値と、上記音響信号の種類を識別する情報とに基づき、上記増幅率を上記周波数ごとに制御することを特徴としている。
【００１０】
上記ボリューム値は、音響再生装置より出力する音響を視聴するユーザによって指定された値であり、ユーザは、このボリューム値を調整することによって、音響再生装置より出力する音響の大きさを調整する。
【００１１】
上記の構成によれば、ボリューム値と、音響信号の種類とに基づいて、増幅手段における増幅率を音響信号の周波数ごとに制御できる。このように、音響信号の種類だけでなく、ユーザが指定したボリューム値にも基づいて、増幅手段における増幅率を音響信号の周波数ごとに制御することにより、増幅手段により増幅された音響信号の周波数特性は、音響信号の種類と、ユーザが指定したボリュームに基づいた周波数特性となる。
【００１２】
たとえば、音響信号が音声の信号であった場合に、ボリューム値が小さいときは、人間の音声帯域を強調するように、増幅率を制御できる。このように、人間の音声帯域を強調するように、増幅率を制御することにより、増幅手段より出力する音響信号の周波数特性は、人間の音声帯域が強調されたものとなる。その結果、ユーザが音響のボリュームを小さくした場合でも、人間の音声が明瞭な音響を出力できる。
【００１３】
一方、同じように、音響信号が音声の信号であった場合でも、ボリューム値が大きいときは、人間の音声が聞き取り難いということはないため、音響信号の周波数における、低域から高域までの増幅率を一定にすることにより、出力する人間の音声の音質が変わることを防止できる。
【００１４】
以上のように、本発明の音響再生装置は、音響の種類に応じて音響の周波数特性を制御するにあたり、一つの音響の種類に対応する周波数特性を、さらに最適な周波数特性に制御できる。
【００１５】
本発明に係る音響再生方法は、上記の課題を解決するために、
入力された音響信号を、当該音響信号の周波数ごとに所定の増幅率によって増幅する増幅ステップと、上記周波数ごとの上記増幅率を制御する制御ステップと、を備えた音響再生方法であって、上記制御ステップにおいて、外部から指定されたボリューム値と、上記音響信号の種類を識別する情報とに基づき、上記増幅率を上記周波数ごとに制御することを特徴としている。
【００１６】
上記の構成によれば、本発明に係る音響再生装置と同様の作用効果を奏する。
【００１７】
また、本発明に係る音響再生装置では、さらに、
上記音響信号の種類を判定する判定手段を有し、
上記判定手段は、上記音響信号が、音声の信号であるかの判定、および、音楽の信号であるかの判定の、少なくとも一方を、上記音響信号より判定することが好ましい。
【００１８】
上記構成によれば、上記判定手段によって、音響信号が音声の信号か、音楽の信号かを、音響信号より判定することができる。
【００１９】
本発明に係る音響再生方法は、さらに、
上記音響信号の種類を判定する判定ステップを有し、上記判定ステップにおいて、上記音響信号が、音声の信号であるかの判定、および、音楽の信号であるかの判定の、少なくとも一方を、上記音響信号より判定することが好ましい。
【００２０】
上記の構成によれば、本発明に係る音響再生装置と同様の作用効果を奏する。
【００２１】
また、本発明に係る音響再生装置では、さらに、
上記判定手段は、上記音響信号が、音声の信号であるかを判定する音声判定手段と、上記音響信号が、音楽の信号であるかを判定する音楽判定手段と、を備えていることが好ましい。
【００２２】
上記の構成によれば、音響再生装置に入力された音響信号自体より、音響信号が音声の信号かどうかを音声判定手段によって判定し、音響信号が音楽の信号かどうかを音楽判定手段によって判定できる。したがって、判定手段は、入力された音響信号が、音声の信号か音楽の信号かを、より正確に判定できる。
【００２３】
また、本発明に係る音響再生装置では、さらに、
上記音声判定手段によって、上記音響信号が音声の信号と判定され、かつ、上記音楽判定手段によって、上記音響信号が音楽の信号と判定された場合、または、上記音声判定手段によって、上記音響信号が音声の信号でないと判定され、かつ、上記音楽判定手段によって、上記音響信号が音楽の信号でないと判定された場合、上記判定手段は、上記音響信号が、音楽の信号でも音声の信号でもないその他の信号であると判定することが好ましい。
【００２４】
上記の構成によれば、音響再生装置に入力された音響信号が、音声の信号でも音楽の信号でもない、その他の信号であることを判定できる。結果、入力された音響信号が、音声と音楽とを含む信号であった場合、両者の状況にあった増幅率に、制御手段は制御できる。
【００２５】
また、本発明に係る音響再生装置では、さらに、
上記判定手段が、上記音響信号を音声の信号であると判定した場合で、上記音響信号の周波数の帯域を低い順に低域、中域、および高域の３つの帯域に分けた場合、上記制御手段は、上記中域の増幅率を上記低域および上記高域の増幅率よりも大きくし、上記ボリューム値が小さければ小さいほど、上記低域および上記高域の増幅率と、上記中域の増幅率との差が大きくなるように、上記増幅率を制御することが好ましい。
【００２６】
まず、人間の音声の主な帯域は、音響信号の周波数における中域の帯域に相当する。上記構成によれば、判定手段によって音響信号が音声の信号であると判定された場合に、音響信号の中域の帯域を、低域および高域の帯域より強調することになる。さらに、ボリューム値が小さければ小さいほど、中域の帯域を強調することになる。したがって、ボリューム値が小さい場合であっても、中域の帯域を強調する、言い換えれば、人間の音声の主な帯域を強調することになり、結果、聞き取り易い音響信号を出力できるという効果を奏する。
【００２７】
さらに、上記構成によれば、ボリューム値が大きい場合、つまり、十分に人間の声が聞き取り易いボリューム値となる場合には、中域の帯域に対する強調を小さくすることになる。結果、中域の帯域を強調することにより発生する、人間の音声における音質の変化を、低減できるという効果を奏する。
【００２８】
また、本発明に係る音響再生装置では、さらに、
上記判定手段が、上記音響信号を音楽の信号であると判定した場合で、上記音響信号の周波数の帯域を低い順に低域、中域、および高域の３つの帯域に分けた場合、上記制御手段は、上記低域または上記高域の少なくともどちらか一方の増幅率を、上記中域の増幅率よりも大きくし、上記ボリューム値が小さければ小さいほど、上記低域または上記高域の少なくともどちらか一方の大きくした増幅率と、上記中域の増幅率との差が大きくなるように、上記増幅率を制御することが好ましい。
【００２９】
上記の構成によれば、音響信号が音楽の信号と判定された場合、ボリューム値が小さければ小さいほど、低域および高域の少なくとも一方の増幅率を強調することになる。一般的に、音楽は人間の音声に比べ、低域および高域の帯域を多く使用している。さらに、ボリューム値が小さくなればなるほど、出力する音楽の臨場感が低下することになる。
【００３０】
ここで、本発明の音響再生装置は、上記の構成を備えることにより、ボリューム値が小さい場合には、低域および高域の帯域を強調することになる。結果、ボリューム値が小さくなり、音楽の臨場感が低下することを、抑える効果を奏する。
【００３１】
また、本発明に係る音響再生装置では、さらに、
上記判定手段が、上記音響信号をその他の信号であると判定した場合で、上記音響信号の周波数の帯域を低い順に低域、中域、および高域の３つの帯域に分けた場合、上記制御手段は、上記低域、上記中域、および上記高域の増幅率が一定となるように、上記増幅率を制御することが好ましい。
【００３２】
上記の構成によれば、音響信号が、音声の信号および音楽の信号のどちらでもない、言い換えれば、その他不明な信号と判定された場合には、低域から高域までの帯域に対する増幅率を一定にすることになる。これにより、特定の帯域を強調することによって発生する、音響の音質の変化を防止できるという効果を奏する。
【００３３】
また、本発明に係る音響再生装置では、さらに、
上記音響信号は、放送電波に含まれるものであり、上記音響再生装置には、上記放送電波に含まれる、放送番組のジャンルを示す情報が入力され、上記制御手段は、上記音響信号の種類を識別する情報として、上記ジャンルを示す情報を用いて、上記増幅率を制御することが好ましい。
【００３４】
上記の構成によれば、音響信号の種類を識別する情報として、放送番組のジャンルを示す情報を用いて、増幅率を音響信号の周波数ごとに制御できる。この放送番組のジャンルを示す情報は、放送電波に含まれる情報であるため、容易に取得できる。結果、音響信号の種類を識別する情報を取得するための、複雑な回路を備える必要がないという効果を奏する。
【００３５】
本発明に係る音響再生方法は、さらに、
上記音響信号は、放送電波に含まれるものであり、上記音響再生方法においては、上記放送電波に含まれる、放送番組のジャンルを示す情報を入力し、上記制御ステップにおいて、上記音響信号の種類を識別する情報として、上記ジャンルを示す情報を用いて、上記増幅率を制御することが好ましい。
【００３６】
上記の構成によれば、本発明に係る音響再生装置と同様の作用効果を奏する。
【００３７】
また、本発明に係る音響再生装置では、さらに、
上記制御手段は、上記音響信号が、音声の信号、音楽の信号、またはその他の信号のうち、いずれかの信号であるかを、上記ジャンルを示す情報より判定し、自身が判定した結果を用いて、上記増幅率を制御することが好ましい。
【００３８】
上記構成を備えたことにより、制御手段は、ジャンルを示す情報より、音響信号が音声の信号か、音楽の信号か、その他の信号かを判定できる。結果、音響信号の種類を３つの種類に分類することができ、増幅手段における増幅率を音響信号の周波数ごとに制御を簡略化できるという効果を奏する。
【００３９】
また、本発明に係る音響再生装置では、さらに、
上記制御手段が、上記音響信号を音声の信号であると判定した場合で、上記音響信号の周波数の帯域を低い順に低域、中域、および高域の３つの帯域に分けた場合、上記制御手段は、上記中域の増幅率を上記低域および上記高域の増幅率よりも大きくし、上記ボリューム値が小さければ小さいほど、上記低域および上記高域の増幅率と、上記中域の増幅率との差が大きくなるように、上記増幅率を制御することが好ましい。
【００４０】
上記構成によれば、音響信号が音声の信号であると判定された場合に、音響信号の中域の帯域を、低域および高域の帯域より強調することになる。さらに、ボリューム値が小さければ小さいほど、中域の帯域を強調することになる。したがって、ボリューム値が小さい場合であっても、中域の帯域を強調する、言い換えれば、人間の音声の主な帯域を強調することになり、結果、聞き取り易い音響信号を出力できるという効果を奏する。
【００４１】
また、本発明に係る音響再生装置では、さらに、
上記制御手段が、上記音響信号を音楽の信号であると判定した場合で、上記音響信号の周波数の帯域を低い順に低域、中域、および高域の３つの帯域に分けた場合、上記制御手段は、上記低域または上記高域の少なくともどちらか一方の増幅率を、上記中域の増幅率よりも大きくし、上記ボリューム値が小さければ小さいほど、上記低域または上記高域の少なくともどちらか一方の大きくした増幅率と、上記中域の増幅率との差が大きくなるように、上記増幅率を制御することが好ましい。
【００４２】
上記の構成によれば、音響信号が音楽の信号と判定された場合、ボリューム値が小さければ小さいほど、低域および高域の少なくとも一方の増幅率を強調することになる。このように、ボリューム値が小さい場合において、低域および高域の帯域を強調することにより、ボリューム値が小さい場合での、音楽の臨場感が低下することを、抑える効果を奏する。
【００４３】
また、本発明に係る音響再生装置では、さらに、
上記制御手段が、上記音響信号をその他の信号であると判定した場合で、上記音響信号の周波数の帯域を低い順に低域、中域、および高域の３つの帯域に分けた場合、上記制御手段は、上記低域、上記中域、および上記高域の増幅率が一定となるように、上記増幅率を制御することが好ましい。
【００４４】
上記の構成によれば、音響信号が、音声の信号および音楽の信号のどちらでもない、言い換えれば、その他不明な信号と判定された場合には、低域から高域までの帯域に対する増幅率を一定にすることになる。これによる効果は上述したとおりである。
【００４５】
また、本発明に係る音響再生装置では、さらに、
上記音響信号は、放送電波に含まれるものであり、上記音響再生装置には、上記放送電波に含まれる、放送番組のジャンルを示す情報が入力され、上記音響信号が音声の信号であるかの判定、もしくは、音楽の信号であるかの判定の、少なくとも一方の判定を行う判定手段を有し、上記制御手段は、上記音響信号の種類を識別する情報として、上記判定手段の判定結果および上記ジャンルを示す情報を用いて、上記増幅率を制御することが好ましい。
【００４６】
上記の構成によれば、音響再生装置は、判定手段の判定結果およびジャンルを示す情報の２つの情報を用いて、増幅率を音響信号の周波数ごとに制御する。結果、音響信号の種類に、より正確に応じた、増幅率を音響信号の周波数ごとに制御できるという効果を奏する。
【００４７】
また、本発明に係る音響再生方法では、さらに、
上記音響信号は、放送電波に含まれるものであり、上記音響再生方法においては、上記放送電波に含まれる、放送番組のジャンルを示す情報を入力し、上記音響信号が音声の信号であるかの判定、もしくは、音楽の信号であるかの判定の、少なくとも一方の判定を行う判定ステップを有し、上記制御ステップは、上記音響信号の種類を識別する情報として、上記判定手段の判定結果および上記ジャンルを示す情報を用いて、上記増幅率を制御することが好ましい。
【００４８】
上記の構成によれば、本発明に係る音響再生装置と同様の作用効果を奏する。
【００４９】
また、本発明に係る音響再生装置では、さらに、
上記判定手段は、上記音響信号が、音声の信号であるかを判定する音声判定手段と、上記音響信号が、音楽の信号であるかを判定する音楽判定手段と、を備え、上記制御手段は、上記音響信号が、音声の信号、音楽の信号、またはその他の信号のうち、いずれかの信号であるかを、上記ジャンルを示す情報より判定することが好ましい。
【００５０】
上記の構成によれば、音響再生装置は、判定手段の判定結果、および制御手段の判定結果の両方を用いて、音響信号が、音声の信号、音楽の信号、またはその他の信号のうち、いずれかの信号であるかを判定する。
【００５１】
ここで、制御手段は、放送番組のジャンルを示す情報より、音響の種類を判定しており、判定手段は、入力された音響信号より、音響の種類を判定しており、この２つの判定結果を用いて、本発明の音響再生装置は、増幅手段における増幅率を制御することもできる。例えば、放送番組のジャンルを示す情報が、音楽系のジャンルを示す情報であり、制御手段が、音響信号を音楽の信号であると判定し、さらに、判定手段が、音響信号を音声の信号と判定した場合、判定手段の判定結果を優先し、音響信号の周波数における、中域の帯域を強調するが、制御手段における判定結果を考慮して、この中域の帯域対する強調の度合いを小さくする。このように、制御手段からの判定結果と、判定手段からの判定結果との、２つの判定結果を用いることにより、増幅手段における増幅率を、より最適に制御できるという効果を奏する。
【００５２】
また、本発明に係る音響再生装置では、さらに、
上記音声判定手段によって、上記音響信号が音声の信号と判定され、かつ、上記音楽判定手段によって、上記音響信号が音楽の信号と判定された場合、または、上記音声判定手段によって、上記音響信号が音声の信号でないと判定され、かつ、上記音楽判定手段によって、上記音響信号が音楽の信号でないと判定された場合、上記判定手段は、上記音響信号が、音楽でも音声でもないその他の信号であると判定することが好ましい。
【００５３】
上記の構成によれば、音響再生装置に入力された音響信号が、音声の信号でも音楽の信号でもない、その他の信号であることを判定できる。結果、入力された音響信号が、音声と音楽とを含む信号であった場合、両者の状況にあった増幅率に、制御手段は制御できる。
【００５４】
また、本発明に係る音響再生装置では、さらに、
上記判定手段が、上記音響信号をその他の信号であると判定した場合、上記制御手段は、自身の判定結果に基づき、上記増幅率を制御することが好ましい。
【００５５】
このように、判定手段によって、音響信号がその他の信号と判定されたとしても、言い換えれば、不明な信号と判定されたとしても、制御手段による判定結果に基づき、増幅率を音響信号の周波数ごとに適切に制御できるという効果を奏する。
【００５６】
また、本発明に係る音響再生装置では、さらに、
上記判定手段が、上記音響信号を音声の信号であると判定した場合で、上記音響信号の周波数の帯域を低い順に低域、中域、および高域の３つの帯域に分けた場合、上記制御手段は、上記中域の増幅率を上記低域および上記高域の増幅率よりも大きくし、上記ボリューム値が小さければ小さいほど、上記低域および上記高域の増幅率と、上記中域の増幅率との差が大きくなるように、上記増幅率を制御することが好ましい。
【００５７】
上記構成によれば、音響信号が音声の信号であると判定された場合に、音響信号の中域の帯域を、低域および高域の帯域より強調することになる。このときの効果についてはすでに上述したとおりである。
【００５８】
また、本発明に係る音響再生装置では、さらに、
上記制御手段は、上記音響信号を音楽の信号またはその他の信号であると判定した場合、自身の判定結果が、上記音響信号を音声の信号と判定した場合よりも、上記中域の増幅率と、上記低域および高域の増幅率との差を、小さくするように、上記増幅率を制御することが好ましい。
【００５９】
上記の構成によれば、判定手段が音響信号を音声の信号と判定した場合において、制御手段による判定結果に基づいて、中域の帯域に対する、強調の度合いを制御できる。
【００６０】
また、本発明に係る音響再生装置では、さらに、
上記判定手段が、上記音響信号を音楽の信号であると判定した場合で、上記音響信号の周波数の帯域を低い順に低域、中域、および高域の３つの帯域に分けた場合、上記制御手段は、上記低域または上記高域の少なくともどちらか一方の増幅率を、上記中域の増幅率よりも大きくし、上記ボリューム値が小さければ小さいほど、上記低域または上記高域の少なくともどちらか一方の大きくした増幅率と、上記中域の増幅率との差が大きくなるように、上記増幅率を制御することが好ましい。
【００６１】
上記の構成によれば、音響信号が音楽の信号と判定された場合、ボリューム値が小さければ小さいほど、低域および高域の少なくとも一方の増幅率を強調することになる。このときの効果については、すでに上述したとおりである。
【００６２】
また、本発明に係る音響再生装置では、さらに、
上記制御手段は、上記音響信号を音声の信号またはその他の信号であると判定した場合、自身の判定結果が、上記音響信号を音楽の信号と判定した場合よりも、上記中域の増幅率と、上記低域および高域の増幅率との差を、小さくするように、上記増幅率を制御することが好ましい。
【００６３】
上記の構成によれば、判定手段が音響信号を音楽の信号と判定した場合において、制御手段からの判定結果に基づいて、低域および高域の少なくとも一方に対する、強調の度合いを制御できる。
【００６４】
また、本発明に係る音響再生装置では、さらに、
上記判定手段が、上記音響信号をその他の信号であると判定し、かつ、上記制御手段が、上記音響信号を音声の信号であると判定した場合で、上記音響信号の周波数の帯域を低い順に低域、中域、および高域の３つの帯域に分けた場合、上記制御手段は、上記中域の増幅率を、上記低域および上記高域の増幅率よりも大きくし、上記ボリューム値が小さければ小さいほど、上記低域および上記高域の増幅率と、上記中域の増幅率との差が大きくなるように、上記増幅率を制御することが好ましい。
【００６５】
上記の構成によれば、判定手段において、上記音響信号がその他の信号、言い換えれば、音声か音楽か不明な信号と判定されたとしても、制御手段における、音響信号が音声の信号であるという判定結果に基づいて、音声信号の周波数における、中域の帯域を強調できる。さらに、ボリューム値が小さければ小さいほど、人間の音声における主な帯域である、中域の帯域を強調しているため、ボリューム値が小さい場合でも、人間の音声を明瞭にし、聞き取り易い音響を出力できる。
【００６６】
また、本発明に係る音響再生装置では、さらに、
上記判定手段が、上記音響信号をその他の信号であると判定し、かつ、上記制御手段が、上記音響信号を音楽の信号であると判定した場合で、上記音響信号の周波数の帯域を低い順に低域、中域、および高域の３つの帯域に分けた場合、上記制御手段は、上記低域または上記高域の少なくともどちらか一方の増幅率を、上記中域の増幅率よりも大きくし、上記ボリューム値が小さければ小さいほど、上記低域または上記高域の少なくともどちらか一方の大きくした増幅率と、上記中域の増幅率との差が大きくなるように、上記増幅率を制御することが好ましい。
【００６７】
上記の構成によれば、判定手段において、上記音響信号がその他の信号、言い換えれば、音声か音楽か不明な信号と判定されたとしても、制御手段における、音響信号が音楽の信号であるという判定結果に基づいて、音声信号の周波数における、低域および高域の少なくとも一方の帯域を強調できる。さらに、ボリューム値が小さければ小さいほど、低域および高域の少なくとも一方の帯域を強調しているため、ボリューム値が小さい場合での、音楽の臨場感が低下することを、抑える効果を奏する。
【００６８】
また、本発明に係る音響再生装置では、さらに、
上記判定手段が、上記音響信号をその他の信号であると判定し、かつ、上記制御手段が、上記音響信号をその他の信号であると判定した場合で、上記音響信号の周波数の帯域を低い順に低域、中域、および高域の３つの帯域に分けた場合、上記制御手段は、上記低域、上記中域、および上記高域の増幅率が一定となるように、上記増幅率を制御することが好ましい。
【００６９】
上記構成によれば、判定手段および制御手段の２つの判定結果が共に、音響信号がその他の信号、言い換えれば、不明な信号であると判定された場合、低域から高域までの帯域に対する増幅率を一定にすることになる。これにより、特定の帯域を強調することによって発生する、音響の音質の変化を防止できるという効果を奏する。
【発明の効果】
【００７０】
本発明の音響再生装置および音響再生方法は、以上のように、ボリューム値と、音響信号の種類を識別する情報とに基づき、増幅率を音響信号ごとに制御する。したがって、音響の種類に応じて音響の周波数特性を制御するにあたり、一つの音響の種類に対応する周波数特性を、さらに最適な周波数特性に制御できる。
【発明を実施するための最良の形態】
【００７１】
以下、本発明に係る実施の形態を図面に基づいて説明する。
【００７２】
〔実施形態１〕
本発明の第１の実施形態について、図１〜図５を参照して以下に説明する。
【００７３】
（テレビジョン放送受信再生機器１０の構成）
まず、図２を参照して、本発明のオーディオ出力変換装置１００を備えるテレビジョン放送受信再生機器１０の構成について説明する。図２は、オーディオ出力変換装置１００を備えるテレビジョン放送受信再生機器１０の構成を示すブロック図である。なお、同図は、テレビジョン方法受信再生機器１０の主要な構成部分だけを抽出して示したものである。
【００７４】
同図に示すように、テレビジョン放送受信再生機器（以下、テレビとする）１０は、アンテナより受信したアナログ放送信号を入力するアナログチューナー部２０と、アンテナより受信したデジタル放送信号を入力するデジタルチューナー部３０と、アナログ放送信号を、ビデオデータとオーディオデータに分割するＡＶスイッチ部２１と、デジタル放送信号を復調するデジタル復調部３１と、復調したデジタル放送信号を、デジタルビデオデータとデジタルオーディオデータに分割する分離部３２と、デジタルビデオデータを復号するビデオデコード部３３と、デジタルオーディオデータを復号するオーディオデコード部３４と、ビデオセレクタ部４０と、オーディオセレクタ部４１と、ビデオ出力変換部４２と、オーディオ出力変換装置１００（音響再生装置）とを備えている。
【００７５】
（テレビジョン放送受信装置１０の動作）
テレビ１０は、アンテナにより受信した放送番組であるアナログ放送信号を、アナログチューナー部２０を介して、ＡＶスイッチ部２１に入力する。ＡＶスイッチ部２１は、入力したアナログ放送信号を、放送番組における映像の情報であるビデオデータと、音響の情報であるオーディオデータとに分割する。ビデオセレクタ部４０は、ＡＶスイッチ部２１で分割されたビデオデータを入力する。さらに、オーディオセレクタ部４１は、ＡＶスイッチ部２１で分割されたオーディオデータを入力する。
【００７６】
一方、デジタルチューナー部３０を介して、アンテナより受信したデジタル放送信号を、デジタル復調部３１は入力し、入力したデジタル放送信号を復調する。次に、分離部３２は、デジタル復調部３１において復調されたデジタル放送信号を出力する。ここで、分離部３２は、デジタル復調部３１により復調されたデジタル放送信号を、映像の情報であるデジタルビデオデータと、音響の情報であるデジタルオーディオデータとに分割する。分離部３２によって分割されたデジタルビデオデータは、符号化されたデータであるため、ビデオデコード部３３がデジタルビデオデータを復号し、ビデオデータとしてビデオセレクタ部４０に出力する。同様に、デジタルオーディオデータも、符号化されたデータであるため、オーディオデコード部３４がデジタルオーディオデータを復号し、オーディオセレクタ部４１に出力する。
【００７７】
次に、ＡＶスイッチ部２１からのビデオデータと、ビデオデコード部３３からのビデオデータとを入力したビデオセレクタ部４０は、入力した２つのビデオデータのうち、再生する放送番組に対応するビデオデータを選択し、ビデオ出力変換部４２に出力する。ビデオ出力変換部４２は、入力したビデオデータを、液晶表示パネル５０において再生可能なデータ形式に変換する。ビデオ出力変換装置４２において変換されたビデオデータは、液晶表示パネル５０によって表示される。
【００７８】
一方、ＡＶスイッチ部２１からのオーディオデータと、オーディオデコード部３４からのオーディオデータとを入力したオーディオセレクタ部４１は、入力した２つのオーディオデータのうち、再生する放送番組に対応するオーディオデータを選択し、オーディオ出力変換装置１００（音響再生装置）に出力する。オーディオ出力変換装置１００は、入力したオーディオデータを、スピーカ６０において再生可能なデータ形式に変換する。オーディオ出力変換装置１００において、変換されたオーディオデータは、スピーカ６０によって再生される。
【００７９】
（オーディオ出力変換装置１００の構成）
次に、本発明の実施の一形態である、オーディオ出力変換装置１００の構成について、図１を参照して説明する。図１は、オーディオ出力変換装置１００の構成を示すブロック図である。
【００８０】
同図に示すように、オーディオ出力変換装置１００は、音響増幅部１１０（増幅手段）と、音声音楽判定部１２０（判定手段）と、コントロール部１３０（制御手段）とを備えている。
【００８１】
（オーディオ出力変換装置１００の動作）
オーディオ出力変換装置１００は、オーディオセレクタ部４１からのオーディオデータ（音響信号）を音響増幅部１１０および音声音楽判定部１２０に入力する。オーディオデータを入力した音声音楽判定部１２０は、入力したオーディオデータが、音声を含むデータか、音楽を含むデータか、それ以外のデータかを判定する。次に、音声音楽判定部１２０は、判定結果を、オーディオデータが、音声のデータかどうかを示す音声フラグと、オーディオデータが、音楽のデータかどうかを示す音楽フラグとの、２つの２値信号によってコントロール部１３０に出力する。ここで、音声音楽判定部１２０は、オーディオデータが音声のデータであると判定した場合は、音声フラグを１とし、音声以外のデータと判定した場合は音声フラグを０として、コントロール部１３０に出力する。さらに、音声音楽判定部１２０は、オーディオデータが音楽のデータであると判定した場合は、音楽フラグを１とし、音楽以外のデータと判定した場合は音楽フラグを０として、コントロール部１３０に出力する。
【００８２】
ここで、音声音楽判定部１２０は、入力したオーディオデータが、音声を含むデータかどうかを判定する音声判定部（音声判定手段）と、音楽を含むデータかどうかを判定する音楽判定部とを備えている。さらに、この音声判定部（音楽判定手段）が音声フラグを出力し、音楽判定部が音楽フラグを出力する。
【００８３】
なお、本実施の形態において、音声音楽判定部１２０における、判定方法は、特許文献１に記載された方法を用いるものとするが、本発明のオーディオ出力変換装置１００は、これに限るものではなく、入力されたオーディオデータより、オーディオデータが音声か音楽かそれ以外かを判定できるものであればよい。
【００８４】
さらに、本実施形態において、音声音楽判定部１２０からの判定結果は、音声フラグと、音楽フラグの２つの信号によってとして、コントロール部１３０に入力されるが、本発明は、これに限るものではなく、音声フラグまたは音楽フラグのどちらか一方のみ、コントロール部１３０に入力されてもよい。一例として、音声音楽判定部１２０からの信号が、音声フラグのみであった場合、音声フラグが１となるときは、オーディオ出力変換装置１００に入力したオーディオデータが、音声であると判定し、一方、音声フラグが０となるときは、オーディオデータが、音楽であると判定するようにしてもよい。もしくは、音声フラグが０となるときは、オーディオデータが、その他であると判定するようにしてもよい。逆に、音声音楽判定部１２０からの信号が、音楽フラグのみであった場合、音楽フラグが１となるときは、オーディオ出力変換装置１００に入力したオーディオデータが、音楽であると判定し、一方、音楽フラグが０となるときは、オーディオデータが、音声であると判定するようにしてもよい。もしくは、音楽フラグが０となるときは、オーディオデータが、その他であると判定するようにしてもよい。
【００８５】
次に、コントロール部１３０は、音声フラグが１であり、かつ、音楽フラグが０であった場合に、音声音楽判定部１２０において、入力されたオーディオデータが音声のデータと判定されたものと認識する。さらに、コントロール部１３０は、音声フラグが０であり、かつ、音楽フラグが１であった場合に、音声音楽判定部１２０において、入力されたオーディオデータが音楽のデータであると判定されたと認識する。また、音声フラグおよび音楽フラグが共に０であった場合、または、音声フラグおよび音楽フラグが共に１であった場合、コントロール部１３０は、音声音楽判定部１２０において、入力されたオーディオデータが、音声のデータでも音楽のデータでもないオーディオデータと判定されたものと認識する。もしくは、音声フラグを優先して、音声フラグおよび音楽フラグが共に１であった場合、オーディオデータが、音声であると判定するようにしてもよい。もしくは、音楽フラグを優先して、音声フラグおよび音楽フラグが共に１であった場合、オーディオデータが、音楽であると判定するようにしてもよい。
【００８６】
また、テレビ１０を視聴するユーザが選択した、出力音量を指定するためのボリューム値を、オーディオ出力変換装置１００は、コントロール部１３０に入力する。
【００８７】
ここで、コントロール部１３０は、音声音楽判定部１２０からの判定結果の情報である音声フラグおよび音楽フラグと、ボリューム値とに基づき、音響増幅部１１０における、オーディオデータに含まれる音響の周波数ごとの増幅率を設定するための制御パラメータを生成する。コントロール部１３０は、生成した制御パラメータを、音響増幅部１１０に出力する。コントロール部１３０からの制御パラメータを入力した音響増幅部１１０は、入力した制御パラメータに基づき、自身の内部に備えるパラメトリックイコライザ（以下、ＰＥＱとする）を調整する。ここで、音響増幅部１１０は、制御パラメータを入力することにより、オーディオデータに含まれる音響の周波数ごとに増幅率を制御することができる。つまり、音響の周波数領域全体に対する増幅率でみると、音響増幅部１１０における増幅率は周波数特性を有することになる。なお、このＰＥＱと、制御パラメータとの詳細な説明については後述とする。
【００８８】
（判定結果およびボリューム値に基づく状態遷移）
次に、音声音楽判定部１２０からの判定結果およびボリューム値と、音響増幅部における周波数特性を有する増幅率との関係を、図３を参照して説明する。図３は、コントロール部１３０が入力する、音声音楽判定部１２０からの判定結果、および外部より入力したボリューム値と、音響増幅部１１０における周波数特性を有する増幅率と、の関係を示す説明図である。
【００８９】
同図に示すように、オーディオ出力変換装置１００を備えるテレビ１０に電源が入ると、オーディオ出力変換装置１００は、まず音響増幅部１１０における増幅率の状態を、初期状態である状態１３１Ｂに設定する。この状態１３１Ｂは、音響増幅部１１０が入力するオーディオデータに対して、オーディオデータに含まれる音響の周波数における、低域から高域までの増幅率を一定の周波数特性にしている状態である。
【００９０】
なお、オーディオデータに含まれる音響の周波数を３つの帯域に分け、周波数が低い順に、低域、中域、高域としている。さらに本実施の形態においては、音響の周波数における中域を、２００Ｈｚ以上から５ｋＨｚ未満とし、高域を５ｋＨｚ以上とし、低域を２００Ｈｚ未満とする。
【００９１】
次に、状態１３１Ｂに対応する、増幅率の周波数特性をグラフに示すと、同図に示す特性グラフ１４０Ｂまたは１４１Ｂとなる。なお、以下に説明する特性グラフは、横軸を周波数、縦軸を増幅率とし、３種類のボリューム値に対応する周波数特性を示すグラフである。特性グラフ１４０Ｂまたは１４１Ｂは、オーディオデータが含む音響の周波数における、低域から高域の増幅率を一定にしており、さらに、３種類のボリューム値である、Ｖｏｌ大，Ｖｏｌ中，Ｖｏｌ小に対応する増幅率が、それぞれ一定となることを示している。つまり、コントロール部１３０は、オーディオデータが含む音響の周波数における、低域から高域の増幅率を一定にし、かつ、入力したボリューム値に対応する増幅率となるように、音響増幅部１１０における増幅率を制御する。なお、本実施の形態におけるボリューム値は、３つ以上の種類の値を持つものであるが、本願明細書においては、説明の便宜上、外部より入力するボリューム値を、スピーカより出力する音響が大きくなるＶｏｌ大と、Ｖｏｌ大よりも小さい音響の大きさとなるＶｏｌ中と、さらにＶｏｌ中よりも小さい音響の大きさとなるＶｏｌ小との３種類のボリューム値に簡略化して説明する。
【００９２】
次に、オーディオ出力変換装置１００は、オーディオセレクタ部４１（図２参照）からのオーディオデータを音声音楽判定部１２０に入力し、入力したオーディオデータが含む音響が、音楽か、音声か、それ以外かを判定する。音声音楽判定部１２０は、上述したように、判定結果を音声フラグおよび音楽フラグによって、コントロール部１３０に出力する。コントロール部１３０は、入力した音声フラグが１であり、かつ、音楽フラグが０であった場合、音響増幅部１１０における増幅率の状態を、状態１３１Ａになるように、制御パラメータを音響増幅部１１０に出力する。この状態１３１Ａに対応する、音響増幅部１１０における増幅率の周波数特性をグラフに示すと、特性グラフ１４０Ａまたは１４１Ａとなる。特性グラフ１４０Ａおよび１４１Ａにおいて示す増幅率の周波数特性は、オーディオデータの周波数における中域の増幅率が、低域および高域の増幅率よりも高くなるように、コントロール部１３０によって制御されている。さらに、特性グラフ１４０Ａおよび１４１Ａにおいて示す増幅率の周波数特性は、入力したボリューム値が小さければ小さいほど、中域の増幅率と、低域および高域の増幅率との差が大きくなるように、コントロール部１３０によって制御されている。言い換えれば、入力したボリューム値が小さくなればなるほど、中域の音響を、低域および高域の音響よりも強調するように、コントロール部１３０が音響増幅部１１０を制御する。
【００９３】
以上のように、音声音楽判定部１２０からの音声フラグが１であり、音楽フラグが０であった場合、言い換えれば、入力されたオーディオデータが含む音響が、音声と判定された場合に、ボリューム値が小さければ小さいほど、オーディオデータの周波数における２００Ｈｚ〜５ｋＨｚの音響を強調することにより、人間の音声における主な周波数帯域を強調することになる。結果、スピーカ６０より出力する音響のボリュームを小さくしても、出力する音響である人間の音声が聞き取り易くなるという効果を奏することになる。
【００９４】
さらに、特性グラフ１４０Ａおよび１４１Ａに示すように、ボリューム値が大きい値の場合には、中域の音響を、低域および高域の音響より強調することなく、低域から高域まで一定の増幅率となる周波数特性に、コントロール部１３０は音響増幅部１１０を制御している。このように、ボリューム値が大きい場合に、低域から高域までの増幅率が一定となる周波数特性とすることにより、中域の音響を強調した場合に発生する、人の声の音質が変わるという問題を防止できる。
【００９５】
次に、コントロール部１３０が、音声音楽判定部１２０より音声フラグが０となり、音楽フラグが１となる判定結果を入力した場合の、音響増幅部１１０における増幅率の周波数特性について説明する。
【００９６】
コントロール部１３０が、音声音楽判定部１２０より、音声フラグが０となり、音楽フラグが１となる判定結果を入力した場合、コントロール部１３０は、音響増幅部１１０における増幅率の状態を、状態１３１Ｃになるように、制御パラメータを音響増幅部１１０に出力する。この状態１３１Ｃに対応する、音響増幅部１１０における増幅率の周波数特性をグラフに示すと、特性グラフ１４０Ｃまたは１４１Ｃとなる。特性グラフ１４０Ｃおよび１４１Ｃにおいて示す増幅率の周波数特性は、オーディオデータが含む音響の周波数における、低域および高域の増幅率が、中域の増幅率よりも高くなるように、コントロール部１３０によって制御されている。さらに、特性グラフ１４０Ｃおよび１４１Ｃにおいて示す増幅率の周波数特性は、入力したボリューム値が小さければ小さいほど、オーディオデータが含む音響の周波数における、低域および高域の増幅率と、中域の増幅率との差が大きくなるように、コントロール部１３０によって制御されている。
【００９７】
一般的に、音楽は、人間の音声と比べ、音響の周波数における、低域および高域の帯域の音量が大きい。この低域および高域の帯域の音量により、音楽の臨場感が左右されることになる。また、低域から高域までの音の音圧の周波数特性、言い換えれば、低域から高域における音圧を示すカーブの形状が同じであった場合、音の音圧が小さいほど、人間は、その聴覚特性上、低域および高域の帯域が、中域の帯域に比べ、音の大きさを小さく感じると言われている。したがって、ボリュームが小さい場合に、ユーザが音楽を聴く際、低域および高域の帯域の音量を大きくすることにより、音楽の臨場感を増加させることになる。
【００９８】
ここで、音声音楽判定部１２０からの音声フラグが０であり、音楽フラグが１であった場合、言い換えれば、入力されたオーディオデータが含む音響が、音楽と判定された場合に、オーディオ出力変換装置１００は、オーディオデータの周波数における低域および高域の音響を強調する。これにより、スピーカ６０より出力する音響である音楽の低域および高域を強調することになる。結果、オーディオ出力変換装置１００は、スピーカ６０より出力する音響が小さい場合であっても、出力する音響である音楽を、臨場感溢れる音楽にできるという効果を奏する。
【００９９】
次に、コントロール部１３０が、音声音楽判定部１２０より、音声フラグおよび音楽フラグが共に０となる、または、音声フラグおよび音楽フラグが共に１となる判定結果を入力した場合の、音響増幅部１１０における増幅率の周波数特性について説明する。
【０１００】
コントロール部１３０が、音声音楽判定部１２０より音声フラグおよび音楽フラグが共に０となる、または、音声フラグおよび音楽フラグが共に１となる判定結果を入力した場合、コントロール部１３０は、音響増幅部１１０における増幅率の状態を、状態１３１Ｂになるように、制御パラメータを音響増幅部１１０に出力する。なお、状態１３１Ｂに対応する、特性グラフ１４０Ｂおよび１４１Ｂに記載された、増幅率の周波数特性ついては、すでに上述したとおりである。
【０１０１】
以上のように、オーディオ出力変換装置１００においては、入力したオーディオデータが含む音響を、音声音楽判定部１２０によって、音声か、音楽か、それ以外かを判定し、音声音楽判定部１２０からの判定結果と、入力したボリューム値とに基づき、コントロール部１３０が、音響増幅部１１０における増幅率を制御している。
【０１０２】
なお、本実施の形態では、状態１３１Ａに対応する増幅率の周波数特性を示すグラフとして、特性グラフ１４０Ａと１４１Ａとの２つの特性グラフを記載している。この２つの特性グラフの違いは、オーディオデータにおける周波数の中域の強調を強くしたものと、弱くしたものとの違いである。特性グラフ１４０Ａにおいては、ボリューム値が小さければ小さいほど、中域の音響を強く強調しており、スピーカ６０より出力する音響である人の声を、より聞き易くできる。一方、特性グラフ１４１Ａにおいて、中域の音響を強調するにあたり、特性グラフ１４０Ａに比べて、中域の音響に対する強調の度合いを弱く設定している。ここで、音声音楽判定装置１２０における判定結果が、音声から音楽に切り替わった際に、音響増幅部１１０における増幅率の周波数特性も切り替わることになる。したがって、音響増幅部１１０における増幅率の周波数特性が切り替わった際に、スピーカ６０より出力する音響を聞いているユーザが違和感を感じることがある。ここで、特性グラフ１４１Ａのように、中域の音響に対する強調の度合いを弱く設定することにより、音響増幅部１１０における増幅率の周波数特性が切り替わった場合においても、ユーザが感じる違和感を低減させることができる。
【０１０３】
また、状態１３１Ｃの場合も同様に、状態１３１Ｃに対応する増幅率の周波数特性を示すグラフとして、特性グラフ１４０Ｃと１４１Ｃとの２つの特性グラフを記載している。この２つの特性グラフの違いは、オーディオデータにおける周波数の低域および高域に対する強調の度合いを強くしたものと、弱くしたものとの違いである。特性グラフ１４０Ｃにおいては、ボリューム値が小さくなればなるほど、低域および高域の音響を強く強調しており、スピーカ６０より出力する音響である音楽を、より臨場感溢れる音楽にできる。一方、特性グラフ１４１Ｃにおいては、低域および高域の音響を強調するにあたり、特性グラフ１４０Ｃに比べて、低域および高域の音響に対する強調の度合いを弱く設定している。ここで、前述したように、音声音楽判定装置１２０における判定結果が、音声から音楽に切り替わった際に、音響増幅部１１０における増幅率の周波数特性も切り替わることになる。
【０１０４】
したがって、特性グラフ１４１Ｃのように、低域および高域の音響に対する強調の度合いを弱く設定することにより、音響増幅部１１０における増幅率の周波数特性が切り替わった場合においても、ユーザが感じる違和感を低減させることができる。
【０１０５】
また、オーディオ出力変換装置１００において、音響増幅部１１０における増幅率の周波数特性として、特性グラフ１４０Ａ〜１４０Ｃに示した特性となるか、特性グラフ１４１Ａ〜１４１Ｃに示した特性となるかについては、オーディオ出力変換装置１００を搭載する、テレビ１０の仕様等により決定されればよい。
【０１０６】
（音響増幅部１１０の構成）
以下、音響増幅部とは、フィルタ設定による信号処理を行う信号処理部（イコライザ）と信号の増幅を行う信号増幅部（アンプ）を含んでいる。
【０１０７】
次に、音響増幅部１１０の構成について、図４（ａ）および（ｂ）を参照して説明する。図４（ａ）は、信号増幅部（固定アンプ）の増幅率が一定で、信号処理部（イコライザ）で周波数特性を含むボリュームを制御する場合の構成を示す説明図であり、図４（ｂ）は、信号増幅部（可変アンプ）で全体の増幅率を制御し、信号処理部（イコライザ）で周波数特性を制御する場合の、音響増幅部１１０ｂの構成を示す説明図である。
【０１０８】
なお、図４（ａ）の音響増幅部１１０ａ、図４（ｂ）の音響増幅部１１０ｂは、図１に示した音響増幅部１１０に対応するものである。
【０１０９】
同図（ａ）に示すように、音響増幅部１１０ａは、音響増幅部１１０ａに入力されたオーディオデータに対して、所定の周波数特性を有する増幅率によって増幅するイコライザ１１１と、イコライザ１１１からのオーディオデータをアナログオーディオ信号に変換するＤ／Ａ変換部１１３と、Ｄ／Ａ変換部１１３からのアナログオーディオ信号を、固定の増幅率によって増幅する固定アンプ１１２ａとを備えている。
【０１１０】
なお、本実施の形態においては、イコライザ１１１を、ＤＳＰ（Ｄｉｇｉｔａｌ  Ｓｉｇｎａｌ  Ｐｒｏｃｅｓｓｏｒ）によって構成しているが、本発明はこれに限るものではなく、ＤＳＰ以外の半導体部品によって構成してもよい。
【０１１１】
（音響増幅部１１０の動作、デジタルボリュームの場合）
以下に、コントロール部１３０ａが入力するボリューム値が、デジタル信号によって入力された場合における、音響増幅部１１０ａの動作を説明する。なお、以下の説明においては、入力するボリューム値が、デジタル信号によって入力された場合のコントロール部１３０をコントロール部１３０ａとする。
【０１１２】
音響増幅部１１０ａは、オーディオセレクタ部４１からのオーディオデータをイコライザ１１１に入力する。さらにイコライザ１１１は、入力したオーディオデータに対する、周波数特性を有する増幅率を決定するための、制御パラメータを、コントロール部１３０ａより入力する。イコライザ１１１は、入力した制御パラメータに基づいて、増幅率の周波数特性、およびスピーカ６０より出力する音響の大きさを決める増幅量を決定する。
【０１１３】
具体的には、コントロール部１３０ａが、音声音楽判定部１２０より、音声フラグが１および音楽フラグが０を入力し場合、コントロール部１３０ａは、イコライザ１１１に対して、図４（ａ）に示す、周波数特性の状態をしめす特性グラフ１４２Ａに記載したように、言い換えれば、オーディオデータに含まれる音響の周波数における、中域の帯域を強調する増幅率となるように、制御パラメータを出力する。なお、特性グラフ１４２Ａに示した３つの増幅率のうち、どの増幅率になるかは、コントロール部１３０ａが入力するボリューム値に基づいて決定する。つまり、コントロール部１３０ａは、入力したボリューム値が小さければ小さいほど、オーディオデータに含まれる音響の周波数における、中域の帯域を、低域および高域の帯域よりも、より強調する増幅率となるように、制御パラメータを、イコライザ１１１に出力する。
【０１１４】
また、コントロール部１３０ａが、音声音楽判定部１２０より、音声フラグが０および音楽フラグが１を入力し場合、コントロール部１３０ａは、イコライザ１１１に対して、図４（ａ）に示す、周波数特性の状態を示す特性グラフ１４２Ｂに記載したように、言い換えれば、オーディオデータに含まれる音響の周波数における、低域および高域の帯域を強調する増幅率となるように、制御パラメータを出力する。この場合いおいても、特性グラフ１４２Ｂに示した３つの増幅率のうち、どの周波数特性を有する増幅率になるかは、コントロール部１３０ａが、入力するボリューム値に基づいて決定する。つまり、コントロール部１３０ａは、入力したボリューム値が小さければ小さいほど、オーディオデータに含まれる音響の周波数における、低域および高域の帯域を、中域の帯域よりも、より強調する増幅率となるように、制御パラメータを、イコライザ１１１に出力する。なお、本実施の形態においては、コントロール部１３０ａが、音声音楽判定部１２０より、音声フラグが０および音楽フラグが１を入力し場合、コントロール部１３０ａは、イコライザ１１１に対して、オーディオデータに含まれる音響の周波数における、低域および高域の帯域を、中域の帯域より強調するように制御パラメータを出力しているが、低域または高域の帯域の一方のみを強調するように制御パラメータを出力してもよい。
【０１１５】
さらに、コントロール部１３０ａが、音声音楽判定部１２０より音声フラグおよび音楽フラグが共に０となる、または、音声フラグおよび音楽フラグが共に１となる判定結果を入力した場合、コントロール部１３０ａは、イコライザ１１１に対して、図４（ａ）に示す、周波数特性の状態をしめす特性グラフ１４２Ｃに記載したように、言い換えれば、オーディオデータに含まれる音響の周波数における、低域から高域の全帯域において、増幅率が一定の周波数特性となるように、制御パラメータを出力する。この場合においては、コントロール部１３０ａは、低域から高域までの全体帯域の増幅率の周波数特性が一定となるように、かつ、入力したボリューム値に基づいた増幅率となるように、制御パラメータを、イコライザ１１１に出力する。
【０１１６】
なお、イコライザ１１１における周波数特性を有する増幅率は、増幅率の周波数特性と、スピーカ６０より出力する音響の大きさを決める増幅量とを加味した増幅率である。
【０１１７】
イコライザ１１１によって増幅されたオーディオデータを、Ｄ／Ａ変換部１１３が入力する。Ｄ／Ａ変換部１１３は、イコライザ１１１より入力されたオーディオデータを、アナログオーディオ信号に変換し、固定アンプ１１２ａに出力する。固定アンプ１１２ａは、スピーカ６０に出力するために、Ｄ／Ａ変換部１１３より入力したアナログオーディオ信号の振幅を増幅する。さらに、固定アンプ１１２ａは、増幅したアナログオーディオ信号を、スピーカ６０に出力する。なお、固定アンプ１１２ａにおける増幅率は、固定の増幅率であり、コントロール部１３０が入力するボリューム値、および音声音楽判定部からの判定結果には基づかない、独立した増幅率である。
【０１１８】
（イコライザ１１１の動作）
ここで、コントロール部１３０ａからの制御パラメータ、および、イコライザ１１１内部における動作のフィルタ設定について、図５（ａ）および（ｂ）を参照して説明する。なお、音響増幅部１１０ａの場合、フィルタ設定だけでなく、全体のゲインを設定する増幅量を制御するがこれについては省略する。図５（ａ）は、コントロール部からの制御パラメータを説明するための説明図であり、同図（ｂ）は、イコライザ１１１内部における動作を示す説明図である。
【０１１９】
まず、本実施の形態においては、イコライザ１１１は、ＤＳＰによって構成されたＰＥＱである。よって、イコライザ１１１は、イコライザ１１１が扱う帯域の中心周波数（以下、ｆ０とする）と、中心周波数からの帯域の幅を決定する帯域幅（以下、Ｑとする）と、帯域幅Ｑにおける増幅レベルを決定するゲインレベル（以下、ｄＢｇａｉｎとする）との、３つのパラメータを入力することにより、自身における、周波数特性を有する増幅率を決定できる。
【０１２０】
同図（ａ）に示すように、コントロール部１３０は、外部より入力したボリューム値、および、音声音楽判定部１２０からの音声フラグおよび音楽フラグに基づき、制御パラメータを構成する３つのパラメータである、ｆ０，Ｑ，ｄＢｇａｉｎを生成する。コントロール部１３０は、生成したｆ０，Ｑ，ｄＢｇａｉｎをイコライザ１１１に出力する。
【０１２１】
次に、制御パラメータであるｆ０，Ｑ，ｄＢｇａｉｎを入力したイコライザ１１１の動作について、図５（ｂ）を参照して説明する。
【０１２２】
イコライザ１１１は、自身の内部に、変換ｔａｂｌｅ１１４を備えている。コントロール部１３０ａからの制御パラメータを入力したイコライザ１１１は、変換ｔａｂｌｅ１１４によって、入力したｆ０，Ｑ，ｄＢｇａｉｎを５つのパラメータである、ａ１，ａ２，ｂ０，ｂ１，ｂ２に変換する。ここで、イコライザ１１１は、複数階層の逆Ｚ変換と、変換ｔａｂｌｅ１１４によって生成された５つのパラメータａ１，ａ２，ｂ０，ｂ１，ｂ２とによって、入力されたオーディオデータに含まれる音響に対する、周波数特性を有する増幅率を決定する。
【０１２３】
なお、ｆ０，Ｑ，ｄＢｇａｉｎと、５つのパラメータａ１，ａ２，ｂ０，ｂ１，ｂ２との関係は、以下のとおりである。
ａ１＝２×cos（ｗ０）／（１＋sin（ｗ０）／（２×Ｑ）／１０dBgain／４０）
ａ２＝（−１＋sin（ｗ０）／（２×Ｑ）／１０dBgain／４０）／（１＋sin（ｗ０）／（２×Ｑ）／１０dBgain／４０）
ｂ０＝（１＋sin（ｗ０）／（２×Ｑ）×１０dBgain／４０）／（１＋sin（ｗ０）／（２×Ｑ）／１０dBgain／４０）
ｂ１＝−２×cos（ｗ０）／（１＋sin（ｗ０）／（２×Ｑ）／１０dBgain／４０）
ｂ２＝（１−sin（ｗ０）／（２×Ｑ）×１０dBgain／４０）／（１＋sin（ｗ０）／（２×Ｑ）／１０dBgain／４０）
（音響増幅部１１０の動作、アナログボリュームの場合）
次に、コントロール部１３０が入力するボリューム値が、アナログ信号の場合における、音響増幅部１１０の動作を、図４（ｂ）を参照して以下に説明する。なお、以下の説明においては、入力するボリューム値が、アナログ信号の場合のコントロール部１３０をコントロール部１３０ｂとする。さらに、以下の説明においては、コントロール部１３０が入力するボリューム値が、デジタル信号の場合における、音響増幅部１１０の動作と、異なる箇所についてのみ説明し、重複する箇所についてはその説明を省略する。
【０１２４】
同図に示すように、コントロール部１３０ｂが入力するボリューム値が、アナログ信号の場合には、図４（ａ）において示した固定アンプ１１２ａが、可変アンプ１１２ｂとなる。これにより、スピーカ６０より出力する音響の大きさを決定する増幅量は、可変アンプ１１２ｂにおける増幅率よって決まる。つまり、信号増幅部が固定増幅率の場合、コントロール部１３０ｂが入力するボリューム値がデジタル信号の場合には、オーディオデータに含まれる音響に対する増幅率の周波数特性と、スピーカ６０より出力する音響の大きさを決定する増幅量とを制御するために、コントロール部１３０ａは、イコライザ１１１に制御パラメータを出力する。一方、信号増幅部が可変増幅率の場合、コントロール部１３０ｂが入力するボリューム値が、アナログ信号の場合には、イコライザ１１１においては、オーディオデータに含まれる音響に対する増幅率の周波数特性のみを決定するように、コントロール部１３０ｂは、制御パラメータを、イコライザ１１１に出力する。
【０１２５】
具体的には、コントロール部１３０ｂが、音声音楽判定部１２０より、音声フラグが１および音楽フラグが０を入力した場合、コントロール部１３０ｂは、イコライザ１１１に対して、図４（ａ）に示す、周波数特性の状態をしめす特性グラフ１４３Ａに示したように、言い換えれば、オーディオデータに含まれる音響の周波数における、中域の帯域を強調するように、制御パラメータを出力する。なお、特性グラフ１４３Ａに示した３つの増幅率のうち、どの増幅率になるかは、コントロール部１３０ｂが、入力するボリューム値に基づき決定する。つまり、コントロール部１３０ｂは、入力したボリューム値が小さければ小さいほど、オーディオデータに含まれる音響の周波数における、中域の帯域を、低域および高域の帯域よりも、より強調する周波数特性となるように、制御パラメータを、イコライザ１１１に出力する。
【０１２６】
さらに、コントロール部１３０ｂが、音声音楽判定部１２０より、音声フラグが０および音楽フラグが１を入力し場合、コントロール部１３０ｂは、イコライザ１１１に対して、図４（ａ）に示す、周波数特性の状態をしめす特性グラフ１４３Ｂに記載したように、言い換えれば、オーディオデータに含まれる音響の周波数における、低域および高域の帯域を強調するように、制御パラメータを出力する。なお、特性グラフ１４３Ｂに示した３つの増幅率のうち、どの増幅率になるかは、コントロール部１３０ｂが、入力するボリューム値に基づき決定する。つまり、コントロール部１３０ｂは、入力したボリューム値が小さければ小さいほど、オーディオデータに含まれる音響の周波数における、低域および高域の帯域を、中域の帯域よりも、より強調する周波数特性となるように、制御パラメータを、イコライザ１１１に出力する。
【０１２７】
さらに、コントロール部１３０ｂが、音声音楽判定部１２０より音声フラグおよび音楽フラグが共に０となる、または、音声フラグおよび音楽フラグが共に１となる判定結果を入力した場合、コントロール部１３０ｂは、イコライザ１１１に対して、図４（ｂ）に示す、周波数特性の状態をしめす特性グラフ１４３Ｃに記載したように、言い換えれば、オーディオデータに含まれる音響の周波数における、低域から高域の全帯域において、増幅率が一定となる周波数特性となるように、制御パラメータを出力する。
【０１２８】
以上のように、コントロール部１３０ｂが入力するボリューム値が、アナログ信号の場合、イコライザ１１１における目的は、オーディオデータに含まれる音響に対して、特定の帯域を強調するように、周波数特性を有する増幅率によって増幅することである。
【０１２９】
一方、スピーカ６０より出力する音響の大きさを決定する増幅量については、コントロール部１３０ｂは、入力したボリューム値に基づく増幅量を、可変アンプ１１２ｂに出力する。可変アンプ１１２ｂは、コントロール部１３０ｂより入力した増幅量に基づき、Ｄ／Ａ変換機１１３からのアナログオーディオ信号の振幅を増幅する。ここで、スピーカ６０より出力する音響の大きさを決定する増幅量に基づく、可変アンプ１１２ｂにおける増幅率は、スピーカ６０より出力する音響の大きさを決定するものであり、図４（ｂ）の特性グラフ１４５に示すように、音響に対する低域から高域において一定の増幅率である。なお、特性グラフ１４５における３つの増幅率を示すグラフは、コントロール部１３０ｂが入力する３つのボリューム値である、Ｖｏｌ大，Ｖｏｌ中，Ｖｏｌ小のそれぞれに対応している。
【０１３０】
以上のように、コントロール部１３０ｂが入力するボリューム値が、アナログ信号の場合には、イコライザ１１１において、オーディオデータに含まれる音響に対して、特定の帯域を強調するように、周波数特性を有する増幅率によって増幅し、可変アンプ１１２ｂにおいて、スピーカ６０より出力する音響の大きさ、つまり、音響のボリュームを決定する増幅を行っている。
【０１３１】
以下、実施形態２および３に示す構成は、実施形態１の変形例となる。具体的には、コントロール部が入力する情報を、様々な情報に変化させたものである。
【０１３２】
なお、実施形態２および３においては、上記の実施形態１と異なる箇所について説明し、重複する部材については、実施形態１と同様に部材番号を付して、その説明を省略する。
【０１３３】
〔実施形態２〕
本発明に係る第２の実施形態における、オーディオ出力変換装置２００について、図６〜図８を参照して、以下に説明する。
【０１３４】
（オーディオ出力変換装置２００の構成）
まず、オーディオ出力変換装置２００の構成を、図６を参照して、以下に説明する。図６は、オーディオ出力変換装置２００の構成を示すブロック図である。
【０１３５】
同図に示すように、オーディオ出力変換装置２００（音響再生装置）は、音響増幅部１１０と、コントロール部２３０（制御手段、入力手段）とを備えている。ここで、オーディオ出力変換装置２００は、テレビ１０（図２を参照）に搭載され、さらに、オーディオ出力変換装置２００は、テレビ１０における、オーディオ出力変換装置１００に置き換わるものである。
【０１３６】
（オーディオ出力変換装置２００の動作）
オーディオ出力変換装置２００は、オーディオセレクタ部４１（図２を参照）からのオーディオデータを、音響増幅部１１０に入力する。さらに、テレビ１０を視聴するユーザが選択した、スピーカ６０より出力する音響のボリューム値を、オーディオ出力変換装置２００は、コントロール部２３０に入力する。ここで、分離部３２（図２を参照）においては、デジタル復調部３１（図２を参照）において復調されたデジタル放送信号より、ＰＳＩ／ＳＩ情報データを取得しているものとする。さらに分離部３２は、ＰＳＩ／ＳＩ情報データから、現在受信している放送番組のジャンルを示す情報（以下、ジャンル情報とする）を抽出し、オーディオ出力変換装置２００に出力する。オーディオ出力変換装置２００は、分離部３２からのジャンル情報を、コントロール部２３０に入力する。
【０１３７】
次に、ジャンル情報を入力したコントロール部２３０は、入力したジャンル情報が、音声系のグループか、音楽系のグループか、それ以外のグループかの、３つのグループうちのどのグループとなるかを判別する。具体的には、コントロール部２３０は、ＰＳＩ／ＳＩ情報データに含まれる全ての種類のジャンルに対して、各ジャンルが、音声系のグループ、音楽系のグループ、それ以外のグループの、３つのグループうちのどのグループとなるかを決定する対応テーブルを記録している。コントロール部２３０は、この対応テーブルに基づいて、分離部３２より入力したジャンル情報が、どのグループとなるかを判別している。
【０１３８】
ここで、図７を参照して、コントロール部２３０における、放送番組のジャンルと、グループとの関係を示す、対応テーブルの一例を説明する。図７は、コントロール部２３０における対応テーブルの一例を示す説明図である。
【０１３９】
同図に示すように、コントロール部２３０における対応テーブルにおいては、放送番組のジャンルが、音楽または劇場／公演であれば、音楽系のジャンルのグループとなる。さらに、コントロール部２３０における対応テーブルにおいては、放送番組のジャンルが、ニュース／報道、スポーツ、情報／ワイドショー、ドラマ、バラエティ、映画、アニメ／特撮、ドキュメンタリー／教養、趣味／教育、福祉であれば、音声系のジャンルのグループとなる。さらに、コントロール部２３０における対応テーブルにおいては、放送番組のジャンルが、その他であれば、不明なジャンルのグループとなる。ここで、放送番組のジャンル情報が、ＰＳＩ／ＳＩ情報データより抽出されることを踏まえると、コントロール部２３０は、デジタル放送信号を受信した場合のみ、ジャンル情報を入力することになる。したがって、本実施の形態においては、アナログ放送信号を受信した場合、言い換えれば、分離部３２よりジャンル情報が入力されない場合には、コントロール部２３０は、現在受信の放送番組が、不明なジャンルのグループであると判別する。
【０１４０】
なお、上記対応テーブルに示した、放送番組のジャンルと、ジャンルのグループ分けは、あくまでも一例であり、オーディオ出力変換装置２００の仕様等に基づき、異なるグループ分けとなってもよいことは言うまでもない。また、分類も音声系、音楽系だけでなく、さらに多くの分類を行ってもいいし、すべてのジャンル毎に増幅率を決定してもよい。
【０１４１】
次に、コントロール部２３０は、入力したボリューム値と、ジャンル情報より判別したジャンルのグループとに基づき、制御パラメータを、音響増幅部１１０に出力する。制御パラメータを入力した、音響増幅部１１０における動作については、実施形態１において説明したとおりである。
【０１４２】
（ジャンル情報およびボリューム値に基づく状態遷移）
以下に、コントロール部２３０からの制御パラメータによる、それぞれのジャンルのグループおよびボリューム値と、音響増幅部１１０における周波数特性を有する増幅率との関係を、図８を参照して説明する。図８は、コントロール部２３０が入力するボリューム値、およびジャンル情報より判別したジャンルのグループと、音響増幅部１１０における周波数特性を有する増幅率と、の関係を示す説明図である。
【０１４３】
同図に示すように、オーディオ出力変換装置２００を搭載するテレビ１０に電源が入ると、オーディオ出力変換装置２００は、受信した放送番組のジャンル情報を、分離部３２より入力する。オーディオ出力装置２００は、内部に備えるコントロール部２３０において、入力したジャンル情報に対応する、ジャンルのグループを判別する。ここで、判別したジャンルのグループが、音声系のジャンルのグループであった場合、コントロール部２３０は、音響増幅部１１０における増幅率の状態を、状態２３１Ａになるように、制御パラメータを音響増幅部１１０に出力する。この状態２３１Ａに対応する、音響増幅部１１０における増幅率の周波数特性をグラフに示すと、同図に示す特性グラフ２４０Ａまたは２４１Ａとなる。特性グラフ２４０Ａおよび２４１Ａにおいて示す増幅率の周波数特性は、入力したボリューム値が小さくなればなるほど、オーディオデータに含まれる音響の周波数における、中域の増幅率が、低域および高域の増幅率よりも高くなるように、コントロール部２３０によって制御される。言い換えれば、入力したボリューム値が小さくなればなるほど、中域の帯域を、低域および高域の帯域よりも強調するように、コントロール部２３０が音響増幅部１１０を制御する。
【０１４４】
以上のように、オーディオ出力変換装置２００は、コントロール部２３０に入力したジャンル情報が、音声系のジャンルであった場合、コントロール部２３０によって、入力したオーディオデータは、音声のデータであると判定する。このように、オーディオデータが音声のデータであると判定された場合、オーディオ出力変換装置２００は、スピーカ６０より出力する音響のボリュームが小さくなればなるほど、人間の音声の周波数帯域である、音響の中域を強調することになる。結果、スピーカ６０より出力する音響が小さくなっても、スピーカ６０からの人間の音声を聞き取り易くするという効果を奏する。
【０１４５】
次に、コントロール部２３０において、入力したジャンル情報に対応する、ジャンルのグループが、音楽系のジャンルのグループであると判別された場合、コントロール部２３０は、音響増幅部１１０における増幅率の状態を、状態２３１Ｂになるように、制御パラメータを音響増幅部１１０に出力する。この状態２３１Ｂに対応する、音響増幅部１１０における増幅率の周波数特性をグラフに示すと、同図に示す特性グラフ２４０Ｂまたは２４１Ｂとなる。特性グラフ２４０Ｂおよび２４１Ｂにおいて示す増幅率の周波数特性は、入力したボリューム値が小さくなればなるほど、オーディオデータに含まれる音響の周波数における、低域および高域の増幅率が、中域の増幅率よりも高くなるように、コントロール部２３０によって制御される。言い換えれば、入力したボリューム値が小さくなればなるほど、低域および高域の帯域を、中域の帯域よりも強調するように、コントロール部２３０が音響増幅部１１０を制御する。
【０１４６】
以上のように、オーディオ出力変換装置２００は、コントロール部２３０に入力したジャンル情報が、音楽系のジャンルであった場合、入力したオーディオデータは、音楽のデータであると判定する。このように、オーディオデータが音声のデータであると判定された場合、スピーカ６０より出力する音響のボリュームが小さくなればなるほど、音響の低域および高域を強調することになる。これにより、スピーカ６０より出力する音響のボリュームが小さい場合において、オーディオ出力変換装置２００は、スピーカ６０より出力される音楽の臨場感が低下すること抑えている。
【０１４７】
なお、本実施の形態においては、コントロール部２３０が、オーディオデータを音楽のデータと判別した場合、コントロール部２３０は、音響増幅部１１０に対して、オーディオデータに含まれる音響の周波数における、低域および高域の帯域を、中域の帯域より強調するように制御パラメータを出力しているが、低域または高域の帯域の一方のみを強調するように制御パラメータを出力してもよい。
【０１４８】
次に、コントロール部２３０において、入力したジャンル情報に対応する、ジャンルのグループが、その他のジャンルのグループであると判別された場合、コントロール部２３０は、音響増幅部１１０における増幅率の状態を、状態２３１Ｃになるように、制御パラメータを音響増幅部１１０に出力する。この状態２３１Ｃに対応する、音響増幅部１１０における増幅率の周波数特性をグラフに示すと、特性グラフ２４０Ｃまたは２４１Ｃとなる。特性グラフ２４０Ｃおよび２４１Ｃにおいて示す増幅率の周波数特性は、オーディオデータに含まれる音響の周波数における、低域から高域までの増幅率が一定となるように、コントロール部２３０によって制御される。
【０１４９】
以上のように、オーディオ出力変換装置２００においては、入力したジャンル情報を、コントロール部２３０においてジャンルのグループに判別し、判別したジャンルのグループと、入力したボリューム値とに基づいて、音響増幅部１１０における、周波数特性を有する増幅率を制御している。さらに、オーディ出力変換装置２００は、オーディオセレクタ部４１からのオーディオデータに含まれる音響に対して、周波数特性を有する増幅率を掛けることにより、スピーカ６０より出力する音響のボリュームが小さい場合であっても、出力する音響である人間の音声を聞き取り易くし、また、出力される音響である音楽の臨場感が低下することを抑えている。
【０１５０】
なお、本実施の形態では、状態２３１Ａに対応する増幅率の周波数特性を示すグラフとして、特性グラフ２４０Ａと２４１Ａとの２つの特性グラフを記載している。この２つの特性グラフの違いは、オーディオデータにおける周波数の中域の強調を強くしたものと、弱くしたものとの違いである。特性グラフ２４０Ａにおいては、ボリューム値が小さければ小さいほど、中域の音響を強く強調しており、スピーカ６０より出力する音響である人の声を、より聞き易くできる。一方、特性グラフ２４１Ａにおいて、中域の音響を強調するにあたり、特性グラフ２４０Ａに比べて、中域の音響に対する強調の度合いを弱く設定している。ここで、放送のジャンル情報は番組毎に設定されており、例えば、ジャンルがドラマである番組内に音楽がある場合でも、ジャンル情報はドラマのままである。よって、あまり強調を強くすると音楽が流れている場合に音楽の臨場感が非常に乏しいものとなってしまう。ここで、特性グラフ２４１Ａのように、中域の音響に対する強調の度合いを弱く設定することにより、ジャンルが音声であるグループの番組内で音楽が流れているときの臨場感の乏しさを低減させることができる。
【０１５１】
また、状態２３１Ｂに対応する増幅率の周波数特性を示すグラフとして、特性グラフ２４０Ｂと２４１Ｂとの２つの特性グラフを記載している。この２つの特性グラフの違いは、オーディオデータにおける周波数の低域および高域に対する強調の度合いを強くしたものと、弱くしたものとの違いである。特性グラフ２４０Ｂにおいては、ボリューム値が小さくなればなるほど、低域および高域の音響を強く強調しており、スピーカ６０より出力する音響である音楽を、より臨場感溢れる音楽にできる。一方、特性グラフ２４１Ｂにおいては、低域および高域の音響を強調するにあたり、特性グラフ２４０Ｂに比べて、低域および高域の音響に対する強調の度合いを弱く設定している。ここで、放送のジャンル情報は番組毎に設定されており、例えば、ジャンルが音楽である番組内にトークがある場合でも、ジャンル情報は音楽のままである。よって、あまり強調を強くするとトークの場合に人の声が非常に聞き取りにくくなってしまう。ここで、特性グラフ２４１Ｂのように、低域および高域の音響に対する強調の度合いを弱く設定することにより、ジャンルが音楽であるグループの番組内でトークがあるときの人の声の聞き取りにくさを低減させることができる。
【０１５２】
さらに、コントロール部２３０が音響増幅部１１０に出力する制御パラメータは、実施形態１に記載した、コントロール部１３０が出力する制御パラメータと同じ構成であるため、ここではその説明を省略する。
【０１５３】
〔実施形態３〕
本発明に係る第３の実施形態における、オーディオ出力変換装置３００について、図９〜図１０を参照して、以下に説明する。
【０１５４】
（オーディオ出力変換装置３００の構成）
まず、オーディオ出力変換装置３００の構成を、図９を参照して、以下に説明する。図９は、オーディオ出力変換装置３００の構成を示すブロック図である。
【０１５５】
同図に示すように、オーディオ出力変換装置３００（音響再生装置）は、音響増幅部１１０と、音声音楽判定部１２０と、コントロール部３３０とを備えている。ここで、オーディオ出力変換装置３００は、テレビ１０（図２を参照）に搭載され、さらに、オーディオ出力変換装置３００は、テレビ１０における、オーディオ出力変換装置１００に置き換わるものである。
【０１５６】
（オーディオ出力変換装置３００の動作）
オーディオ出力変換装置３００は、オーディオセレクタ部４１（図２を参照）からのオーディオデータを、音響増幅部１１０と音声音楽判定部１２０とに入力する。ここで、音声音楽判定部１２０は、入力したオーディオデータが、音声を含むデータか、音楽を含むデータか、それ以外のデータかを判定し、判定結果を、音声フラグおよび音楽フラグの２つの信号よって、コントロール部３３０に出力する。なお、音声音楽判定部１２０については、すでに実施形態１において説明したとおりであるため、ここでは詳細な説明を省略する。
【０１５７】
さらに、テレビ１０を視聴するユーザが選択した、出力音量のボリューム値を、オーディオ出力変換装置３００は、コントロール部３３０に入力する。また、上述した実施形態２と同様に、分離部３２より、現在受信している放送番組のジャンル情報を、オーディオ出力変換装置３００は、コントロール部３３０に入力する。ここで、コントロール部３３０は、入力したジャンル情報が、音声系のグループか、音楽系のグループか、それ以外のグループかの、３つのグループうちのどのグループとなるかを判別する。このジャンル情報に対する判別の動作および方法は、実施形態２と同様であるため、ここでは説明を省略する。
【０１５８】
次に、コントロール部３３０は、入力したボリューム値と、音声音楽判定部１２０からの判定結果と、ジャンル情報を判別したジャンルのグループとに基づき、制御パラメータを生成し、この制御パラメータを音響増幅部１１０に出力する。制御パラメータを入力した、音響増幅部１１０における動作については、実施形態１において説明したとおりである。
【０１５９】
（ボリューム値、ジャンル情報、および判定結果に基づく状態遷移）
以下に、コントロール部３３０からの制御パラメータによる、音響増幅部１１０における増幅率について、図１０を参照して説明する。図１０は、コントロール部３３０が入力するボリューム値、ジャンル情報のグループ、音声音楽判定部１２０からの判定結果と、音響増幅部１１０における周波数特性を有する増幅率と、の関係を示す説明図である。
【０１６０】
同図に示すように、オーディオ出力変換装置３００を搭載するテレビ１０に電源が入ると、オーディオ出力変換装置３００は、受信した放送番組のジャンル情報を、分離部３２より入力する。オーディオ出力装置３００は、内部に備えるコントロール部３３０において、入力したジャンル情報に対応する、ジャンルのグループを判別する。
【０１６１】
（ジャンル情報が音声系のジャンルである場合）
ここで、判別したジャンルのグループが、音声系のジャンルのグループであった場合、コントロール部３３０は、音響増幅部１１０における増幅率の状態を、状態３３１Ａになるように、制御パラメータを音響増幅部１１０に出力する。この状態３３１Ａに対応する、音響増幅部１１０における増幅率の周波数特性をグラフに示すと、同図に示す特性グラフ３４０Ａとなる。特性グラフ３４０Ａにおいて示す増幅率の周波数特性は、入力したボリューム値が小さくなればなるほど、オーディオデータに含まれる音響の周波数における、中域の増幅率が、低域および高域の増幅率よりも高くなるように、コントロール部３３０によって制御される。言い換えれば、入力したボリューム値が小さくなればなるほど、中域の帯域を、低域および高域の帯域よりも強調するように、コントロール部３３０が音響増幅部１１０を制御する。
【０１６２】
ここで、コントロール部３３０が、音声音楽判定部１２０より、音声フラグが０となり、音楽フラグが１となる判定結果を入力した場合、コントロール部３３０は、音響増幅部１１０における増幅率の状態を、状態３３２Ｂになるように、制御パラメータを、音響増幅部１１０に出力する。この状態３３２Ｂに対応する増幅率の周波数特性を示すグラフは、特性グラフ３４１Ｂとなる。特性グラフ３４１Ｂにおいて示す増幅率の周波数特性は、入力したボリューム値が小さくなればなるほど、オーディオデータに含まれる音響の周波数における、低域および高域の増幅率が、中域の増幅率よりも高くなるように、コントロール部３３０によって制御される。言い換えれば、入力したボリューム値が小さくなればなるほど、低域および高域の帯域を、中域の帯域よりも強調するように、コントロール部３３０が音響増幅部１１０を制御する。
【０１６３】
なお、コントロール部３３０によって、入力したジャンル情報が、音声系のジャンルのグループであると判別された場合において、音声音楽判定部１２０からの判定結果が、音声フラグが０および音楽フラグが１となる際は、音響増幅部１１０における増幅率の状態は状態３３２Ｂとなり、音声音楽判定部１２０からの判定結果が、音声フラグが０および音楽フラグが１以外のときには、音響増幅部１１０における増幅率の状態は状態３３１Ａとなる。
【０１６４】
（ジャンル情報が音楽系のジャンルである場合）
次に、コントロール部３３０において、入力したジャンル情報が、音楽系のジャンルのグループであった場合の、音響増幅部１１０における増幅率の状態を説明する。
【０１６５】
コントロール部３３０は、入力したジャンル情報が、音楽系のジャンルのグループであると判別した場合、音響増幅部１１０における増幅率の状態を、状態３３１Ｂになるように、制御パラメータを音響増幅部１１０に出力する。この状態３３１Ｂに対応する、音響増幅部１１０における増幅率の周波数特性をグラフに示すと、同図に示す特性グラフ３４０Ｂとなる。特性グラフ３４０Ｂにおいて示す増幅率の周波数特性は、入力したボリューム値が小さければ小さいほど、オーディオデータに含まれる音響の周波数における、低域および高域の増幅率を、中域の増幅率よりも高くなるように、コントロール部３３０によって制御される。言い換えれば、入力したボリューム値が小さくなればなるほど、低域および高域の帯域を、中域の帯域よりも強調するように、コントロール部３３０が音響増幅部１１０を制御する。
【０１６６】
ここで、コントロール部３３０が、音声音楽判定部１２０より、音声フラグが１となり、音楽フラグが０となる判定結果を入力した場合、コントロール部３３０は、音響増幅部１１０における増幅率の状態を、状態３３２Ａとなるように、制御パラメータを、音響増幅部１１０に出力する。この状態３３２Ａに対応する増幅率の周波数特性を示すグラフは、特性グラフ３４１Ａとなる。特性グラフ３４１Ａにおいて示す増幅率の周波数特性は、入力したボリューム値が小さくなればなるほど、オーディオデータに含まれる音響の周波数における、中域の増幅率を、低域および高域の増幅率よりも高くするように、コントロール部３３０によって制御される。言い換えれば、入力したボリューム値が小さくなればなるほど、中域の帯域を、低域および高域の帯域よりも強調するように、コントロール部３３０が音響増幅部１１０を制御する。
【０１６７】
なお、コントロール部３３０によって、入力したジャンル情報が、音楽系のジャンルのグループであると判別された場合において、音声音楽判定部１２０からの判定結果が、音声フラグが１および音楽フラグが０となる際は、音響増幅部１１０における増幅率の状態は状態３３２Ａとなり、音声音楽判定部１２０からの判定結果が、音声フラグが１および音楽フラグが０以外のときには、音響増幅部１１０における増幅率の状態は状態３３１Ｂとなる。
【０１６８】
（ジャンル情報が音声系でも音楽系でもないジャンルであった場合）
次に、コントロール部３３０において、入力したジャンル情報が、音声系でも音楽系でもないジャンルのグループであった場合の、音響増幅部１１０における増幅率の状態を説明する。
【０１６９】
コントロール部３３０は、入力したジャンル情報が、音声系でも音楽系でもないジャンルのグループであると判別した場合、音響増幅部１１０における増幅率の状態を、状態３３１Ｃになるように、制御パラメータを音響増幅部１１０に出力する。この状態３３１Ｃに対応する、音響増幅部１１０における増幅率の周波数特性をグラフに示すと、同図に示す特性グラフ３４０Ｃとなる。特性グラフ３４０Ｃにおいて示す増幅率の周波数特性は、オーディオデータに含まれる音響の周波数における、低域から高域の増幅率が一定となるように、コントロール部３３０によって制御される。つまり、オーディオデータに含まれる音響の周波数における、特定の帯域を強調しない周波数特性になるように、コントロール部３３０が音響増幅部１１０を制御する。
【０１７０】
ここで、コントロール部３３０が、音声音楽判定部１２０より、音声フラグが１となり、音楽フラグが０となる判定結果を入力した場合、コントロール部３３０は、音響増幅部１１０における増幅率の状態を、状態３３３Ａとなるように、制御パラメータを、音響増幅部１１０に出力する。この状態３３３Ａに対応する増幅率の周波数特性を示すグラフは、特性グラフ３４２Ａとなる。特性グラフ３４２Ａにおいて示す増幅率の周波数特性は、入力したボリューム値が小さければ小さいほど、オーディオデータに含まれる音響の周波数における、中域の増幅率を、低域および高域の増幅率よりも高くするように、コントロール部３３０によって制御される。言い換えれば、入力したボリューム値が小さくなればなるほど、中域の帯域を、低域および高域の帯域よりも強調するように、コントロール部３３０が音響増幅部１１０を制御する。
【０１７１】
一方、コントロール部３３０が、音声音楽判定部１２０より、音声フラグが０となり、音楽フラグが１となる判定結果を入力した場合、コントロール部３３０は、音響増幅部１１０における増幅率の状態を、状態３３３Ｂとなるように、制御パラメータを、音響増幅部１１０に出力する。この状態３３３Ｂに対応する増幅率の周波数特性を示すグラフは、特性グラフ３４２Ｂとなる。特性グラフ３４２Ｂにおいて示す増幅率の周波数特性は、入力したボリューム値が小さければ小さいほど、オーディオデータに含まれる音響の周波数における、低域および高域の増幅率を、中域の増幅率よりも高くなるように、コントロール部３３０によって制御される。つまり、入力したボリューム値が小さくなればなるほど、低域および高域の帯域を、中域の帯域よりも強調するように、コントロール部３３０が音響増幅部１１０を制御する。
【０１７２】
なお、コントロール部３３０によって、入力したジャンル情報が、音声系でも音楽系でもないジャンルのグループであると判別された場合において、音声音楽判定部１２０からの判定結果が、音声フラグが１および音楽フラグが０となる際は、音響増幅部１１０における増幅率の状態は状態３３３Ａとなり、音声音楽判定部１２０からの判定結果が、音声フラグが０および音楽フラグが１となる際は、音響増幅率１１０における増幅率の状態は状態３３３Ｂとなり、音声音楽判定部１２０からの判定結果が、音声フラグおよび音楽フラグが共に０、または音声フラグおよび音楽フラグが共に１となる際は、音響増幅部１１０における増幅率の状態は、状態３３１Ｃとなる。
【０１７３】
また、特性グラフ３４１Ｂおよび３４２Ｂと、特性グラフ３４０Ｂとにおける、同じボリューム値を入力した場合の増幅率の周波数特性を比較すると、特性グラフ３４０Ｂにおける増幅率の周波数特性の方が、低域および高域の帯域を、より強調したものとなっている。
【０１７４】
さらに、特性グラフ３４１Ａおよび３４２Ａと、特性グラフ３４０Ａとにおける、同じボリューム値を入力した場合の増幅率の周波数特性を比較すると、特性グラフ３４０Ａにおける増幅率の周波数特性の方が、中域の帯域を、より強調したものとなっている。
【０１７５】
以上のように、オーディオ出力変換装置３００においては、ボリューム値と、音声音楽判定部１２０と、ジャンル情報とに基づいて、音響増幅部１１０における、増幅率の周波数特性を制御しているため、スピーカ６０より出力する音響のボリュームが小さい場合であっても、出力する音響である人間の音声を聞き取り易くし、また、出力する音響である音楽の臨場感が低下することを抑えることができる。
【０１７６】
なお、本実施の形態においては、コントロール部３３０が、音声音楽判定部１２０より、音声フラグが０および音楽フラグが１を入力し場合、コントロール部３３０は、音響増幅部１１０に対して、オーディオデータに含まれる音響の周波数における、低域および高域の帯域を、中域の帯域より強調するように制御パラメータを出力しているが、低域または高域の帯域の一方のみを強調するように制御パラメータを出力してもよい。
【０１７７】
なお、コントロール部３３０が音響増幅部１１０に出力する制御パラメータは、実施形態１に記載した、コントロール部１３０が出力する制御パラメータと同じ構成であるため、実施形態３においては、その説明を省略する。
【０１７８】
図１０では省略したが、上記の各状態にいるとき、番組の切り替り時やチャンネル変更などで、番組が変わる場合には、電源が入った場合と同様にジャンル判定の動作から行う。また、入力される音声フラグ、音楽フラグに対して、リアルタイムに動作を行う。ここで、状態の切り替り時の違和感を低減させるため、周波数特性の増減を徐々に行ってもよい。
【０１７９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１８０】
本発明は、音響信号を所定の増幅率によって増幅する音声再生装置において、音響信号に含まれる音響の種類と、ユーザが選択したボリューム値とに基づき、増幅率の周波数特性を制御できる音声再生装置を提供するものであり、特に、携帯電話や、液晶テレビ等の音声を出力する機器において利用することが可能である。
【図面の簡単な説明】
【０１８１】
【図１】本発明の実施の一形態に係る、オーディオ出力変換装置の構成を示すブロック図である。
【図２】本発明の実施の一形態に係る、オーディオ出力変換装置を搭載する、テレビの構成を示すブロック図である。
【図３】本発明の実施の一形態に係る、音響増幅部における増幅率の周波数特性を示す説明図である。
【図４】（ａ）および（ｂ）は、本発明の実施の一形態に係る、音響増幅部の構成を示すブロック図である。
【図５】（ａ）は、本発明の実施の一形態に係る、コントロール部が出力する制御パラメータを示す説明図であり、（ｂ）は、本発明の実施の形態に係る、イコライザの構成を示す説明図である。
【図６】本発明の、他の実施の形態に係る、オーディオ出力変換装置の構成を示すブロック図である。
【図７】本発明の、他の実施の形態に係る、放送番組のジャンルのグループ区分を示す説明図である。
【図８】本発明の、他の実施の形態に係る、音響増幅部における増幅率の周波数特性を示す説明図である。
【図９】本発明の、さらに他の実施の形態に係る、オーディオ出力変換装置の構成を示すブロック図である。
【図１０】本発明の、さらに他の実施の形態に係る、音響増幅部における増幅率の周波数特性を示す説明図である。
【符号の説明】
【０１８２】
１００    オーディオ出力変換装置（音響再生装置）
１１０    音響増幅部（増幅手段）
１１０ａ  音響増幅部（増幅手段）
１１０ｂ  音響増幅部（増幅手段）
１２０    音声音楽判定部（判定手段）
１３０    コントロール部（制御手段）
１３０ａ  コントロール部（制御手段）
１３０ｂ  コントロール部（制御手段）
２００    オーディオ出力変換装置（音響再生装置）
２３０    コントロール部（制御手段）
３００    オーディオ出力変換装置（音響再生装置）
３３０    コントロール部（制御手段）
【図１】
2008283318.tif 000003
【図２】
2008283318.tif 000004
【図３】
2008283318.tif 000005
【図４】
2008283318.tif 000006
【図５】
2008283318.tif 000007
【図６】
2008283318.tif 000008
【図７】
2008283318.tif 000009
【図８】
2008283318.tif 000010
【図９】
2008283318.tif 000011
【図１０】
2008283318.tif 000012